(57)【要約】  ローカルディミングによるコントラストの向上効果を得ることができる映像表示装置を提供する。映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
2017038082.tif 000002
【特許請求の範囲】
【請求項１】
入力される映像信号に基づいて映像を表示する表示パネルと、
前面側の主面に複数の光源を有し、前記表示パネルの背面側に向けて前記複数の光源が発する光を照射する光源基板と、
前記光源基板の前記主面上に設けられ、前記複数の光源のうち互いに隣り合う２つの光源の間を仕切る中空の隔壁が形成された反射シートと、
前記表示パネルと前記光源基板との間に設けられ、前記光源基板から照射される前記光の輝度分布を均一化する光学部材と、
前記光源基板と前記光学部材との間に設けられ、前記光学部材を支持する支持部材と、を備え、
前記反射シートは、第１方向に沿って形成された隔壁と前記第１方向に交差する第２方向に沿って形成された隔壁とが交わる交点部分と、前記第１方向または前記第２方向に平行に形成される直線部分と、を有しており、
前記支持部材は、前記直線部分に形成される凹部に配置される、
映像表示装置。
【請求項２】
前記第１方向および前記第２方向は、互いに略直交する方向であり、
前記直線部分に形成される前記凹部は、前記複数の光源に対し、前記第１方向および前記第２方向の少なくとも一方向における前記隔壁上の位置に形成される、
請求項１に記載の映像表示装置。
【請求項３】
前記支持部材は、前記隔壁の前記凹部の形状に対応する形状の壁部を有する、
請求項１に記載の映像表示装置。
【請求項４】
前記隔壁の表面は、前記前面側に向かうにしたがって前記隔壁の厚みが薄くなる方向に傾斜しており、
前記壁部は、前記隔壁の表面の延長線上の位置に配置されている傾斜面を有する、
請求項３に記載の映像表示装置。
【請求項５】
前記支持部材は、
当該映像表示装置の前後方向に延びる軸部と、
前記軸部の前記背面側の端部に形成された係合部と、
前記軸部の、前記係合部から所定の間隔を開けた位置に設けられ、前記軸部に略直交する方向に拡がっている板部と、を有し、
前記軸部は、前記光源基板と前記反射シートとを貫通し、
前記光源基板および前記反射シートの、前記軸部により貫通されている貫通部分は、前記係合部と前記板部とで挟まれている、
請求項１に記載の映像表示装置。
【請求項６】
複数の貫通孔が形成され、前記前面側に前記光源基板が配置される支持基板をさらに備え、
前記複数の貫通孔は、線対称を除く回転対称とは異なる形状を有し、
前記支持部材の前記軸部は、さらに、前記支持基板の前記貫通孔を貫通し、
前記支持基板の前記貫通孔が形成されている部分は、前記係合部と前記板部とで挟まれ、
前記軸部の、前記貫通孔を貫通している部分の断面は、前記貫通孔の形状に対応する形状を有し、
前記複数の貫通孔のうち、前記第１方向に平行な直線部分に対応する位置に設けられる第１貫通孔は、前記第２方向に平行な直線部分に対応する位置に設けられる第２貫通孔を前記第１方向と前記第２方向との間の角度だけ回転させた形状を有する、
請求項５に記載の映像表示装置。
【請求項７】
前記支持部材は、前記光学部材が前記光源に第１所定間隔より近づくことを規制する支持面を有する、
請求項１に記載の映像表示装置。
【請求項８】
前記表示パネルおよび前記光学部材の間に配置される光学シートをさらに備え、
前記支持部材の前記表示パネル側の端部は、前記光学シートが前記光源に対して第２所定間隔より近づくことを規制する、
請求項１に記載の映像表示装置。
【発明の詳細な説明】
【技術分野】
【０００１】
本開示は、バックライトを有する映像表示装置に関する。
【背景技術】
【０００２】
例えば液晶表示装置等の、バックライトを有する映像表示装置において、画質を向上させるための様々な技術が継続的に開発されている。そのような技術の一例に、例えば、ローカルディミング（Ｌｏｃａｌ  Ｄｉｍｍｉｎｇ）と呼ばれる技術がある。【０００３】
特許文献１は、ローカルディミングに関する技術を開示する。
【先行技術文献】
【特許文献】
【０００４】
【特許文献１】特開２０１４−４１８３０号公報
【発明の概要】
【０００５】
しかしながら、特許文献１に開示された技術では、ローカルディミングによるコントラストの向上効果が十分に得られない場合がある。
【０００６】
本開示は、ローカルディミングによるコントラストの向上効果を高めることができる映像表示装置を提供する。
【０００７】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
【０００８】
本開示における映像表示装置は、ローカルディミングによるコントラストの向上効果を高めることができる。
【図面の簡単な説明】
【０００９】
【図１】図１は、実施の形態１における映像表示装置の外観の一例を模式的に示す図である。
【図２】図２は、実施の形態１における映像表示装置の構成の一例を模式的に示す分解斜視図である。
【図３】図３は、実施の形態１における映像表示装置が備える光源基板が取り付けられたベースプレートの一例を模式的に示す平面図である。
【図４】図４は、実施の形態１における映像表示装置が備える光源基板の構成の一例を模式的に示す平面図である。
【図５】図５は、実施の形態１における映像表示装置が備える反射シートの形状の一例を模式的に示す斜視図である。
【図６】図６は、実施の形態１における映像表示装置が備えるフラッタの形状の一例を模式的に示す平面図である。
【図７】図７は、実施の形態１における映像表示装置が備えるベースプレートへの支持部材の取り付け例を模式的に示す斜視図である。
【図８】図８は、実施の形態１の映像表示装置における光源基板への反射シートの取り付け例を模式的に示す斜視図である。
【図９】図９は、実施の形態１の映像表示装置における各部材の配置の一例を模式的に示す断面図である。
【図１０】図１０は、実施の形態１の映像表示装置における各部材の配置の一例を模式的に示す断面図である。
【図１１】図１１は、実施の形態１における映像表示装置が備えるベースプレートへの支持部材の取り付け例を模式的に示す平面図である。
【図１２】図１２は、他の実施の形態における映像表示装置が備える支持部材の形状の一例を模式的に示す斜視図である。
【発明を実施するための形態】
【００１０】
（本開示の基礎となった知見）
本願発明者は、従来の映像表示装置に以下の問題が生じることを見出した。
【００１１】
特許文献１にはローカルディミングに関する技術が開示されている。ローカルディミングとは、液晶表示パネルを複数の領域に分け、各領域に対応して配置された複数の光源を、液晶表示パネルの各領域に映し出される映像の明るさに応じて調光する技術である。この技術により、１画面内の映像のコントラストを向上させることができる。光源には、例えばＬＥＤ（Ｌｉｇｈｔ  Ｅｍｉｔｔｉｎｇ  Ｄｉｏｄｅ：発光ダイオード）が用いられる。
【００１２】
例えば、特許文献１に開示された技術を用いた映像表示装置では、一の光源に対応する領域に、その領域に隣接する領域に対応する光源からの光が進入し、液晶表示パネルに表示される映像のコントラストを向上する効果が十分に得られない場合がある。一例として、一の光源に対応する領域は相対的に暗く、かつ、その領域に隣接する領域は相対的に明るい映像が液晶表示パネルに表示される場合を想定する。その場合、一の光源に対応する領域（相対的に暗い領域）に、その領域に隣接する領域（相対的に明るい領域）に対応する光源からの光が漏れ込んで、一の光源に対応する領域の輝度が上昇し、当該２つの領域間のコントラストを十分に向上できない場合がある。
【００１３】
そのような問題を改善するために、複数の光源が配置される光源基板上の、当該複数の光源を除く領域に反射シートを配置し、その反射シートの形状を、光源と光源との間に隔壁が形成される形状とすることが考えられる。これにより、互いに隣接する領域間での相互の光の漏れ込みを抑制することができる。
【００１４】
また、液晶表示パネルを備えた映像表示装置では、光源基板上の光源よりも液晶表示パネルに近い位置に、光を拡散する拡散シート等の各種光学部材を配置する場合がある。そのような構成では、その光学部材を支える支持部材を光源基板上に配置することがある。しかし、支持部材の配置位置によっては、光源基板上の光源が発した光に対して、当該支持部材によって支持された光学部材が望ましくない影響を与えるおそれがある。例えば、光学部材と光源との間の距離が所定の範囲から外れた状態で、光学部材が支持部材に支持されることにより、光源基板によるバックライトに、輝度低下や輝度むらが発生するおそれがある。このように、光学部材と光源との間の距離は、光学部材による効果を適切に得られる所定の範囲に維持されることが望ましく、その距離が近すぎたり離れすぎたりすることで、バックライトに輝度低下や輝度むらが発生するおそれがある。
【００１５】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
【００１６】
この構成によれば、互いに隣り合う２つの光源の間が反射シートの隔壁により仕切られる。そのため、一の光源に対応する領域に、その領域に隣接する領域に対応する光源が発する光が進入するのを抑制できる。また、支持部材は、反射シートの隔壁の直線部分に形成される凹部に配置される。そのため、支持部材は、隔壁のうちで光源に比較的近い位置で光学部材を支持することができる。これにより、支持部材が光源から比較的離れた位置で光学部材を支持する場合と比較して、光源と光学部材との間の距離を所定の範囲内に維持することを容易にできる。これにより、光源基板によるバックライトに、輝度低下や輝度むらが発生することを抑制でき、ローカルディミングによるコントラストの向上効果を高めることができる。
【００１７】
例えば、第１方向および第２方向は、互いに略直交する方向であってもよい。直線部分に形成される凹部は、複数の光源に対し、第１方向および第２方向の少なくとも一方向における隔壁上の位置に形成されてもよい。
【００１８】
すなわち、光源から第１方向における隔壁上の位置と、光源から第２方向における隔壁上の位置との少なくとも一方に凹部が形成されてもよい。
【００１９】
この構成によれば、凹部は、隔壁のうちで、光源から最も近い位置に配置される。すなわち、支持部材は、反射シートの隔壁の直線部分のうちで、光源から最も近い位置に配置される。これにより、支持部材が光源から相対的に離れた位置で光学部材を支持する場合と比較して、光源と光学部材との間の距離を所定の範囲内に維持することが効果的にできる。したがって、光源基板によるバックライトに、輝度低下や輝度むらが発生することを抑制できる。
【００２０】
例えば、支持部材は、隔壁の凹部の形状に対応する形状の壁部を有してもよい。
【００２１】
この構成によれば、支持部材は、互いに隣接する領域において、各領域に配置された光源が発した光が、凹部を通って各領域に相互に進入することを抑制することができる。これにより、光源基板によるバックライトに、輝度低下や輝度むらが発生することを効果的に抑制できる。
【００２２】
例えば、隔壁の表面は、前面側（表示パネル側）に向かうにしたがって隔壁の厚みが薄くなる方向に傾斜していてもよい。壁部は、隔壁の表面の延長線上の位置に配置されている傾斜面を有してもよい。
【００２３】
この構成によれば、支持部材は、光源から支持部材に向かって発せられた光を、反射シートの隔壁と同様に、壁部の傾斜面により表示パネルに向けて反射することができる。これにより、光源基板によるバックライトに、輝度低下や輝度むらが発生することを効果的に抑制できる。
【００２４】
例えば、支持部材は、当該映像表示装置の前後方向に延びる軸部と、軸部の背面側の端部に形成された係合部と、軸部の、係合部から所定の間隔を開けた位置に設けられ、軸部に略直交する方向に拡がっている板部と、を有してもよい。軸部は、光源基板と反射シートとを貫通してもよい。光源基板および反射シートの、軸部により貫通されている貫通部分は、係合部と板部とで挟まれていてもよい。
【００２５】
この構成によれば、支持部材は、反射シートが光源基板から離間しないように、反射シートを光源基板に向けて効果的に押さえることができる。
【００２６】
例えば、映像表示装置は、複数の貫通孔が形成され、前面側に光源基板が配置される支持基板をさらに備えてもよい。複数の貫通孔は、線対称を除く回転対称とは異なる形状を有してもよい。支持部材の軸部は、さらに、支持基板の貫通孔を貫通してもよい。支持基板の貫通孔が形成されている部分は、係合部と板部とで挟まれてもよい。軸部の、貫通孔を貫通している部分の断面は、貫通孔の形状に対応する形状を有してもよい。複数の貫通孔のうち、第１方向に平行な直線部分に対応する位置に設けられる第１貫通孔は、第２方向に平行な直線部分に対応する位置に設けられる第２貫通孔を第１方向と第２方向との間の角度だけ回転させた形状を有してもよい。
【００２７】
この構成によれば、作業者は、支持部材を支持基板に取り付けるときに、支持部材を配置する位置が第１方向に平行な直線部分であるのか、第２方向に平行な直線部分であるのかを意識しなくても、支持部材を適切な向きで配置することができる。これにより、映像表示装置の製造時における作業者の組み立て作業の効率を向上することができる。
【００２８】
例えば、支持部材は、光学部材が光源に第１所定間隔より近づくことを規制する支持面を有してもよい。
【００２９】
この構成によれば、光学部材と光源との間の距離を第１所定間隔に維持することが容易にできる。
【００３０】
例えば、映像表示装置は、表示パネルと光学部材との間に配置される光学シートをさらに備えてもよい。支持部材の表示パネル側の端部は、光学シートが光源に対して第２所定間隔より近づくことを規制してもよい。
【００３１】
この構成によれば、光学シートと光源との間の距離を第２所定間隔に維持することが容易にできる。
【００３２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００３３】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００３４】
なお、添付図面および以下の説明は、当業者が本開示を十分に理解するために提供されるのであって、これらにより特許請求の範囲に記載の主題を限定することは意図されていない。
【００３５】
また、各図は、模式図であり、必ずしも厳密に図示されたものではない。また、各図において、実質的に同じ構成要素については同じ符号を付し、説明を省略または簡略化する場合がある。
【００３６】
（実施の形態１）
以下、図１〜図１１を参照しながら実施の形態１における映像表示装置１について説明する。なお、本実施の形態では、図面にＸ軸、Ｙ軸、Ｚ軸の３軸を示し、表示パネルの長辺に平行な方向（図１の横方向）の軸をＸ軸、表示パネルの短辺に平行な方向（図１の縦方向）の軸をＹ軸、Ｘ軸Ｙ軸の双方に直交する方向（映像表示装置１の前後方向に平行な方向）の軸をＺ軸とする。しかし、これらの軸は便宜的に示したものに過ぎず、何ら本開示を限定するものではない。
【００３７】
［１−１．構成］
実施の形態１における映像表示装置１は、表示パネルとしての液晶表示パネルと、その表示パネルを背面から照明するための光源基板と、を備える液晶表示装置である。映像表示装置１は、映像表示装置の一例である。光源基板には、各々が表示パネルの互いに異なる領域に対応して設けられた複数の光源と、複数の光源の各々を、制御信号によって表される明るさ（映像の対応領域内の明るさ）に応じた輝度で発光するように駆動（調光）するドライバ素子と、が搭載される。なお、映像の対応領域内の明るさとは、１つの光源が照明する表示パネルの領域（すなわち、その光源に対応する領域）における映像の明るさ（映像の部分的な明るさ）のことである。
【００３８】
図１は、実施の形態１における映像表示装置１の外観の一例を模式的に示す図である。
【００３９】
図１に示すように、映像表示装置１は、表示パネル７０および光源基板（図１には示さず）が、前面が開放された筐体１ａ内に格納された、一般的なフラットパネルディスプレイの外観を有する。なお、本実施の形態では、映像表示装置１および各構成部材におけるユーザに正対する面（図１に示されている側の面）を前面と称し、前面の反対側の面（裏面）を背面と称する。
【００４０】
図２は、実施の形態１における映像表示装置１の構成の一例を模式的に示す分解斜視図である。
【００４１】
図３は、実施の形態１における映像表示装置１が備える光源基板２０が取り付けられたベースプレート１０の一例を模式的に示す平面図である。なお、図３には、ベースプレート１０を前面側から見た平面図を示す。
【００４２】
図２に示すように、映像表示装置１は、ベースプレート１０、複数の光源基板２０、反射シート３０、フラッタ４０、各種の光学シート５０、モールドフレーム６０、表示パネル７０、ベゼル８０、接続端子基板９１、信号処理基板９２、および電源基板９３、を備える。これらの部材が筐体１ａ（図１参照）に格納されて、映像表示装置１は構成されている。なお、映像表示装置１は、これらの部材の他に、支持部材、締結部材、および補強部材、等を有するが、それらの部材の図示は省略している。これらは、必要に応じて後述する。
【００４３】
ベースプレート１０は、光源基板２０、接続端子基板９１、信号処理基板９２、および電源基板９３を取り付ける基台としての支持基板である。ベースプレート１０は、例えば、板金で形成されるが、他の材料で形成されてもよい。ベースプレート１０には、支持部材を取り付けるための貫通孔、ねじ穴、光源基板２０同士をベースプレート１０の背面側を通るケーブルで接続するための開口、等が設けられている。
【００４４】
光源基板２０は、表示パネル７０の背面側に設けられ、表示パネル７０の背面側を照明するバックライトモジュールである。光源基板２０は、前面側の主面に複数の光源を有し、表示パネル７０の背面側に複数の光源が発する光を照射する。また、光源基板２０は、前面側の主面に配置され、複数の光源の各々を駆動するドライバ素子を有する。複数の光源のそれぞれは、例えば、発光ダイオード（ＬＥＤ：Ｌｉｇｈｔ  Ｅｍｉｔｔｉｎｇ  Ｄｉｏｄｅ）である。すなわち、複数の光源のそれぞれは、点光源である。ベースプレート１０の前面（表示パネル７０側の面）には、図３に示すように、複数の同形の光源基板２０がマトリクス状に配置された状態で取り付けられている。これら複数の光源基板２０により、表示パネル７０を照明する直下型のバックライトが構成されている。光源基板２０の詳細は後述する。
【００４５】
反射シート３０は、光源基板２０の複数の光源が設けられている主面（表示パネル７０側の面）上に設置され、開口を有し、その開口を貫通した光源（図４に示す光源基板２０の光源２１）から出射される光の一部を前面（表示パネル７０側）に向けて反射するシートである。反射シート３０は、例えば、白色の合成樹脂で形成されるが、白色の他の材料で形成されてもよい。反射シート３０には、複数の光源のうち互いに隣り合う２つの光源の間を仕切る、前方に向かって隆起した中空の隔壁（図５参照）が形成されている。したがって、光源の周囲は隔壁によって囲まれ、各光源は、当該光源の周りの当該隔壁で囲まれた領域を照明する。反射シート３０の詳細は後述する。
【００４６】
フラッタ４０は、光源基板２０から照射される光の輝度分布を均一化（輝度分布の均一性を向上）するために、反射シート３０の前方（表示パネル７０側）に設けられたシート状の光学部材である。フラッタ４０は、光源から出射される光を一様に透過するのではなく、光源によって照明される領域毎に光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で構成されるが、他の材料で形成されてもよい。上述したように光源基板２０が備える光源はＬＥＤによる点光源のため、フラッタ４０がない場合、その光源が照明する領域内には輝度差が生じる。フラッタ４０は、その輝度差を相殺するように設定された透過率の分布を、所定の透過率の分布として有する。これにより、フラッタ４０は、光源によって照明される領域内の互いに異なる位置の輝度を、互いに等しい輝度に近づけることができ、当該領域内の輝度の均一性を向上できる。このように、フラッタ４０は、表示パネル７０と光源基板２０との間に設けられ、光源基板２０から照射される光の輝度分布を均一化（輝度分布の均一性を向上）する。フラッタ４０の詳細は後述する。
【００４７】
光学シート５０は、表示パネル７０とフラッタ４０との間に配置され、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、表面に、機能に応じた微細形状が設けられて成形された合成樹脂で構成することができる。なお、光学シート５０は、光源基板２０が備える光源から光学シート５０までの距離が所定の範囲に維持されているときに適切に効果を得られるため、光学シート５０と光源との間隔は適切な範囲に（例えば、第２所定間隔より小さくならないように）維持されることが望ましい。
【００４８】
モールドフレーム６０は、表示パネル７０の外周を背面から支持する支持部材である。モールドフレーム６０は、例えば、合成樹脂で形成されるが、他の材料で形成されてもよい。また、モールドフレーム６０は、ベースプレート１０に固定されてもよい。
【００４９】
表示パネル７０は、複数の画素がマトリクス状に配列されて構成された映像表示用の液晶パネルである。表示パネル７０は、駆動回路（図示せず）に入力される映像信号に基づいて映像を表示する。
【００５０】
ベゼル８０は、表示パネル７０の外周を前面から支持する支持部材である。ベゼル８０は、例えば、金属で形成されるが、合成樹脂で形成されてもよい。
【００５１】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０の光源の輝度を制御（調光）するための制御信号を、映像信号に基づいて生成する回路も設けられている。電源基板９３は、映像表示装置１に動作電力（以下、単に「電力」という）を供給するための電源回路が設けられた回路基板である。接続端子基板９１、信号処理基板９２、および電源基板９３は、ベースプレート１０の背面に取り付けられている。
【００５２】
次に、光源基板２０について説明する。
【００５３】
図４は、実施の形態１における映像表示装置１が備える光源基板２０の構成の一例を模式的に示す平面図である。図４の下段に示す図は、図３に示す領域Ａ１の拡大図である。図４には、光源基板２０の前面に配置された各部材の一例を示している。なお、図４の上段には、図４の下段の図において破線で囲った領域の拡大図（部分拡大図）を示す。また、図４の一部には、視覚的にわかりやすくするために、便宜的に、個々の光源２１で照明される表示パネル７０の領域７１に対応する位置を二点鎖線で示している。
【００５４】
図４に示すように、光源基板２０には、複数の光源２１と、複数のドライバ素子２２およびドライバ素子２３と、が搭載されている。
【００５５】
光源２１の各々は、表示パネル７０の互いに異なる領域７１に対応して設けられている。光源２１には高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。
【００５６】
ドライバ素子２２およびドライバ素子２３は、信号処理基板９２から供給される制御信号に基づき光源２１を駆動する半導体素子である。ドライバ素子２２およびドライバ素子２３には、各光源２１に対応する領域７１における映像の明るさを表す制御信号が、信号処理基板９２から供給される。そして、ドライバ素子２２およびドライバ素子２３は、光源２１の各々を、当該制御信号によって表される明るさに応じた輝度で発光するように駆動（調光）する。ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよい。ドライバ素子２３は、例えば、制御信号からドライバ素子２２のゲート信号を生成する半導体集積回路（ＩＣ：Ｉｎｔｅｇｒａｔｅｄ  Ｃｉｒｃｕｉｔ）であってもよい。
【００５７】
光源基板２０には、フラッタ４０を支持する支持部材が貫通する開口２４、および光源基板２０をベースプレート１０にビス止めするためのビス孔２５、が設けられている。また、光源基板２０が取り付けられているベースプレート１０には、開口２４よりも小さい形状を有し、支持部材を立てるための貫通孔１１および貫通孔１２が設けられている。
【００５８】
ベースプレート１０では、貫通孔１１、貫通孔１２およびビス孔（図示せず）を、互いに隣接する領域７１の境界線上に配置している。同様に、光源基板２０では、ドライバ素子２２、ドライバ素子２３、開口２４、およびビス孔２５を、互いに隣接する領域７１の境界線上に配置している。このような配置の効果については後述する。
【００５９】
次に、反射シート３０について説明する。
【００６０】
図５は、実施の形態１における映像表示装置１が備える反射シート３０の形状の一例を模式的に示す斜視図である。図５の一部には、視覚的にわかりやすくするために、領域７１に対応する位置を二点鎖線で示している。
【００６１】
図５に示すように、反射シート３０には、隔壁３１、開口３２、および開口３３が形成されている。
【００６２】
開口３２は、反射シート３０の背面側に配置されている光源基板２０の光源２１に対応する位置に設けられている。光源２１は、反射シート３０の背面から開口３２を貫通して反射シート３０の前面に露出する。
【００６３】
反射シート３０は、光源２１から照射される光を反射するように、白色の合成樹脂で形成されている。そして、反射シート３０は、開口３２を貫通して前面に露出した光源２１から出射される光の一部（背面方向に進行する光、等）を前方（表示パネル７０方向）へ反射する。
【００６４】
反射シート３０に形成された隔壁３１は、前面側（表示パネル７０側、Ｚ軸方向プラス側（図２、図４参照））に向かって突出して形成された中空の部位である。隔壁３１は、互いに隣り合う開口３２（すなわち、互いに隣り合う光源２１）の間を仕切る位置に形成されている。反射シート３０の隔壁３１は、第１方向に沿って形成された部分と第２方向に沿って形成された部分とが交わる交点部分３１ａと、第１方向または第２方向に平行に形成される直線部分３１ｂと、を有する。なお、第１方向は例えばＸ軸方向であり、第２方向は例えばＹ軸方向（図２、図４参照）であるが、本開示は何らその設定に限定されず、それらは互いに逆であってもよい。
【００６５】
また、隔壁３１は、直線部分３１ｂに凹部３５を有する。凹部３５は隔壁３１の一部が前面側に突出しないことで形成される。凹部３５は、開口３２（言い換えれば、光源２１）に対し、第１方向（例えば、Ｘ軸方向）および第２方向（例えば、Ｙ軸方向）の少なくとも一方向における隔壁３１上の位置に形成される。すなわち、凹部３５は、開口３２（光源２１）から第１方向における隔壁３１上の位置と、開口３２（光源２１）から第２方向における隔壁３１上の位置との少なくとも一方に形成される。
【００６６】
また、隔壁３１は、互いに隣接する領域７１の境界線上において最も前面側に向かって突出しており、前面側に向かうにしたがって厚みが薄く（直線部分３１ｂの延伸方向に直交する方向の幅が小さく）なっている。すなわち、隔壁３１は、表示パネル７０の表示面に対して、隔壁３１の厚みが薄くなる方向に傾斜した傾斜面３１ｃ（図７、図８参照）を有する。この傾斜面３１ｃは、光源２１から発せられ隔壁３１に向かって進行する光を、前面側（表示パネル７０側）へ反射する。
【００６７】
反射シート３０の、隔壁３１の凹部３５には、開口３３が形成されている。後述するように、支持部材は、開口３３を貫通する。
【００６８】
次に、フラッタ４０について説明する。
【００６９】
図６は、実施の形態１における映像表示装置１が備えるフラッタ４０の形状の一例を模式的に示す平面図である。図６の一部には、視覚的にわかりやすくするために、領域７１に対応する位置を二点鎖線で示している。
【００７０】
図６に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内に光源２１により生じる輝度分布（輝度の偏り）を相殺するように設定されている。このように、フラッタ４０は、光源２１により生じる輝度分布を相殺するように設定された所定の透過率の分布を有する。これによりフラッタ４０は、領域７１内の輝度の均一性を向上することができる。なお、フラッタ４０の透過率の分布は、フラッタ４０と光源２１との間隔が所定の距離（以下、第１所定間隔という）に維持されているときに適切に効果を得られるように設定されている。そのため、フラッタ４０による効果を適切に得るためには、フラッタ４０と光源２１との間隔は第１所定間隔に維持されることが望ましい。
【００７１】
次に、支持部材１００による反射シート３０の光源基板２０への取り付けについて説明する。
【００７２】
図７は、実施の形態１における映像表示装置１が備えるベースプレート１０への支持部材１００の取り付け例を模式的に示す斜視図である。
【００７３】
図８は、実施の形態１の映像表示装置１における光源基板２０への反射シート３０の取り付け例を模式的に示す斜視図である。
【００７４】
図９、図１０は、実施の形態１の映像表示装置１における各部材の配置の一例を模式的に示す断面図である。図９には、図８のＩＸ−ＩＸ線断面図を示し、図１０には、図８のＸ−Ｘ線断面図を示す。なお、図８ではフラッタ４０および光学シート５０の図示を省略しているが、図９、図１０にはフラッタ４０および光学シート５０を示している。
【００７５】
まず、支持部材１００の構成について説明する。
【００７６】
図７〜図１０に示すように、支持部材１００は、隔壁３１の凹部３５の形状に対応する形状の壁部１１０を有する。また、支持部材１００は、軸部１０５と、係合部１２０と、板部１３０と、をさらに有する。支持部材１００は、例えば、白色の合成樹脂で形成されるが、他の材料で形成されてもよい。
【００７７】
壁部１１０は、支持部材１００がベースプレート１０に取り付けられた状態のときに、映像表示装置１の前後方向（図７では、Ｚ軸方向）に延びる軸部１０５から、隔壁３１の直線部分３１ｂの延伸方向（図７では、Ｘ軸方向）の両側に向かって突出している部位である。壁部１１０は、凹部３５により途切れる隔壁３１を補うために、隔壁３１の凹部３５を塞ぐ形状を有する。なお、以下では、支持部材１００がベースプレート１０に取り付けられた状態にあるものとして、支持部材１００の説明行う。
【００７８】
軸部１０５は、映像表示装置１の前後方向（図７では、Ｚ軸方向）に延びる部位である。軸部１０５は、ベースプレート１０と、光源基板２０と、反射シート３０と、フラッタ４０と、を貫通する。
【００７９】
具体的には、軸部１０５は、板部１３０よりも前面側（表示パネル７０側、図７ではＺ軸方向プラス側）の部分において、直線部分３１ｂの延伸方向（図７では、Ｘ軸方向）に２つに分離されている。軸部１０５の２つに分離された部分のそれぞれは、互いに対向する側面の反対側の側面に壁部１１０を有する。なお、図９では、軸部１０５を破線で示す。
【００８０】
また、軸部１０５の背面側（図７では、Ｚ軸方向マイナス側）の端部には、係合部１２０が形成されている。軸部１０５は、板部１３０よりも背面側（図７では、Ｚ軸方向マイナス側）の部分において、直線部分３１ｂの延伸方向に直交する方向（図７では、Ｙ軸方向）に長い矩形の軸断面を有している。また、軸部１０５の板部１３０よりも背面側（図７では、Ｚ軸方向マイナス側）の部分は、支持部材１００がベースプレート１０に取り付けられた状態で、ベースプレート１０と、光源基板２０と、反射シート３０と、を貫通している。
【００８１】
係合部１２０は、軸部１０５の背面側（図７では、Ｚ軸方向マイナス側）の端部に形成されている。係合部１２０は、支持部材１００がベースプレート１０の貫通孔１１に取り付けられた状態で、当該貫通孔１１に係合する形状に形成されている。係合部１２０は、軸部１０５から、直線部分３１ｂの延伸方向（図７では、Ｘ軸方向）に沿って斜め前側（Ｚ軸方向プラス側）に突出している鉤状の部位である。係合部１２０は、鉤状の先端がベースプレート１０の貫通孔１１の背面側（図７では、Ｚ軸方向マイナス側）に引っ掛かることで、ベースプレート１０の貫通孔１１に係合する。
【００８２】
板部１３０は、軸部１０５の、係合部１２０から所定の間隔を開けた位置に設けられ、軸部１０５に略直交する方向に拡がっている。板部１３０は、ベースプレート１０の面（図７では、Ｘ−Ｙ平面）に平行な方向に拡がっているフランジ状の部位である。
【００８３】
係合部１２０および板部１３０は、支持部材１００がベースプレート１０の貫通孔１１に取り付けられた状態で、軸部１０５が貫通しているベースプレート１０、光源基板２０および反射シート３０の貫通部分を、係合部１２０と板部１３０との間に挟む。すなわち、上述の所定の間隔は、この挟み込みができる長さである。貫通部分は、具体的には、ベースプレート１０の貫通孔１１が形成されている部分と、光源基板２０の開口２４が形成されている部分と、反射シート３０の開口３３が形成されている部分と、を含む。このため、支持部材１００は、係合部１２０および板部１３０において、反射シート３０が光源基板２０から離間しないように、反射シート３０を光源基板２０に向けて効果的に押さえることができる。
【００８４】
また、反射シート３０は、光源２１を露出させる開口３２の周囲の平坦部分において、接着テープ３６で光源基板２０に貼り付けられている（図８、図１０参照）。こうして、反射シート３０は、光源基板２０に固定される。
【００８５】
光源基板２０の光源２１は、反射シート３０の背面から開口３２を貫通して反射シート３０の前面に露出する（図８、図１０参照）。光源基板２０のドライバ素子２３は、隔壁３１内の空間（隔壁３１により反射シート３０の背面と光源基板２０の前面との間に形成される空間）に格納される（図９参照）。
【００８６】
図７〜図１０には図示していないが、光源基板２０は、ビス孔２５（図４参照）を通ってベースプレート１０に取り付けられるビスによって、ベースプレート１０に固定されている。そして、そのビスの頭部およびドライバ素子２２等も、隔壁３１内に格納される。
【００８７】
また、支持部材１００は、軸部１０５の、壁部１１０よりも前面側（表示パネル７０側、図７ではＺ軸方向プラス側）の部分が、フラッタ４０の特定の孔４１Ａを貫通している（図９、図１０参照）。また、支持部材１００の、孔４１Ａを貫通した部分の下方には、フラッタ４０を支持する支持面１４０が形成されている。具体的には、支持部材１００は、フラッタ４０に形成されている特定の孔４１Ａが支持部材１００の上部の切り欠きに嵌め込まれることにより、フラッタ４０を支持する。支持面１４０は、フラッタ４０が光源２１に対して第１所定間隔Ｄ１より近づくことを規制する部位である。この支持面１４０により、支持部材１００は、フラッタ４０と光源２１との間の距離を第１所定間隔Ｄ１に維持することが容易にできる。
【００８８】
このようにして、ベースプレート１０、光源基板２０、反射シート３０、およびフラッタ４０は、支持部材１００を用いて互いに結合されて、１つの構造体が構成される。そして、図２に示すように、その構造体の前面（表示パネル７０側）に、さらに、各種の光学シート５０が配置され、光学シート５０の前面に表示パネル７０が配置されて、映像表示装置１が構成される。映像表示装置１では、光源基板２０の光源２１から出射され、フラッタ４０および複数の光学シート５０を透過して均一性が向上した光が、表示パネル７０を背面から照明する。そして、表示パネル７０を背面から照明する光は、映像に応じて領域７１毎に明るさが調整（調光）されているので、表示パネル７０にはコントラストが精度良く高められた映像が表示される。
【００８９】
なお、図１０に示すように、支持部材１００の前面側（表示パネル７０側、図７ではＺ軸方向プラス側）の端部１５０は、光学シート５０が光源２１に第２所定間隔Ｄ２より近づくことを規制する部位である。この端部１５０により、支持部材１００は、光学シート５０と光源２１との間の距離が第２所定間隔Ｄ２より小さくならないように維持することが容易にできる。
【００９０】
次に、ベースプレート１０の貫通孔１１について説明する。
【００９１】
図１１は、実施の形態１における映像表示装置１が備えるベースプレート１０への支持部材１００の取り付け例を模式的に示す平面図である。図１１には、支持部材１００をベースプレート１０に取り付けた状態における、支持部材１００の、ベースプレート１０よりも前方（表示パネル７０側）の部位を省略した図を示す。図１１では、支持部材１００のベースプレート１０の貫通孔１１を貫通している部位（軸部１０５）が断面で表されている。
【００９２】
図１１に示すように、ベースプレート１０に形成されている貫通孔１１は、短手方向（直線部分３１ｂの延伸方向に直交する方向、図１１ではＹ軸方向）における幅ｄ１が相対的に大きい略矩形状の第１孔部１１ａと、短手方向（直線部分３１ｂの延伸方向、図１１ではＸ軸方向）における幅ｄ２が第１孔部１１ａの幅ｄ１よりも小さい略矩形状の第２孔部１１ｂと、が十字形状に接合された形状を有する。なお、第１孔部１１ａの長手方向（直線部分３１ｂの延伸方向、図１１ではＸ軸方向）における幅と、第２孔部１１ｂの長手方向（直線部分３１ｂの延伸方向に直交する方向、図１１ではＹ軸方向）における幅とは、互いに略等しい。
【００９３】
第１孔部１１ａは、支持部材１００の係合部１２０が貫通する。そして、第１孔部１１ａの長手方向（Ｘ軸方向）の両端の部分に、係合部１２０が係合する。第１孔部１１ａは、係合部１２０の第１孔部１１ａに接する部分に対応した形状を有する。
【００９４】
第２孔部１１ｂは、支持部材１００の軸部１０５が貫通する。第２孔部１１ｂは、軸部１０５の、第２孔部１１ｂを貫通している部分に対応した形状を有する。
【００９５】
第１孔部１１ａの長手方向は、隔壁３１の直線部分３１ｂの延伸方向に略一致する。そして、支持部材１００は、軸部１０５の延伸方向（図７ではＺ軸方向）から見た場合、壁部１１０が突出している方向と、係合部１２０が突出している方向とが互いに一致している。したがって、支持部材１００が貫通孔１１に取り付けられた状態では、壁部１１０が突出している方向と、隔壁３１の直線部分３１ｂの延伸方向とは互いに略一致した状態となる。
【００９６】
なお、図４に示すように、ベースプレート１０における、隔壁３１の直線部分３１ｂがＹ軸方向に沿って形成される領域７１の境界線上には、第１孔部１１ａの長手方向がＹ軸方向に沿っている貫通孔１２が形成されている。したがって、ベースプレート１０に設けられた複数の貫通孔１１、貫通孔１２のうち、Ｘ軸方向に平行な直線部分３１ｂに対応する位置に設けられる貫通孔１１は、Ｙ軸方向に平行な直線部分３１ｂに対応する位置に設けられる貫通孔１２を、Ｘ軸方向とＹ軸方向との間の角度（すなわち９０度）だけ回転させた形状を有する。
【００９７】
なお、貫通孔１１は第１貫通孔の一例である。貫通孔１２は第２貫通孔の一例である。
【００９８】
このように、貫通孔１１（貫通孔１２）は、線対称を除く回転対称とは異なる形状を有しているため、また支持部材１００の軸部１０５の断面が貫通孔１１（貫通孔１２）の形状に対応した形状を有するため、支持部材１００が貫通孔１１（または貫通孔１２）を貫通したときに、支持部材１００の姿勢を所定の姿勢に定めることができる。言い換えると、支持部材１００を貫通孔１１（または貫通孔１２）に取り付けるときに、支持部材１００を所定の姿勢にしないと、支持部材１００の軸部１０５を貫通孔１１（または貫通孔１２）に挿入することができない。なお、所定の姿勢とは、壁部１１０の突出方向が、隔壁３１の直線部分３１ｂの延伸方向に一致する姿勢のことである。このため、作業者が支持部材１００をベースプレート１０に取り付けるときに、作業者は、支持部材１００を配置する位置がＸ軸方向に平行な直線部分３１ｂであるのか、Ｙ軸方向に平行な直線部分３１ｂであるのかを意識しなくても、支持部材１００を適切な姿勢で配置することができる。これにより、映像表示装置１の製造時における作業者の組み立て作業の効率を向上することができる。
【００９９】
なお、貫通孔１１および貫通孔１２は、本実施の形態では、２回対称の十字形状を有している。しかし、貫通孔１１および貫通孔１２は、線対称を除く回転対称とは異なる形状を有していれば、上記の効果を得ることができる。したがって、貫通孔１１および貫通孔１２は、十字形状に限らずに、長方形（２回対称の一例）、台形（１回対称の一例）等であってもよい。なお、線対称を除く回転対称とは、ｎを３以上としたときのｎ回対称の形状である。
【０１００】
［１−２．効果等］
以上のように、本実施の形態において、映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
【０１０１】
なお、映像表示装置１は映像表示装置の一例である。表示パネル７０は表示パネルの一例である。光源２１は光源の一例である。光源基板２０は光源基板の一例である。隔壁３１は隔壁の一例である。反射シート３０は反射シートの一例である。フラッタ４０は光学部材の一例である。支持部材１００は支持部材の一例である。交点部分３１ａは交点部分の一例である。直線部分３１ｂは直線部分の一例である。凹部３５は凹部の一例である。
【０１０２】
例えば、実施の形態１に示した例では、映像表示装置１は、入力される映像信号に基づいて映像を表示する表示パネル７０と、前面側の主面に複数の光源２１を有し、表示パネル７０の背面側に向けて複数の光源２１が発する光を照射する光源基板２０と、光源基板２０の主面上に設けられ、複数の光源２１のうち互いに隣り合う２つの光源２１の間を仕切る中空の隔壁３１が形成された反射シート３０と、表示パネル７０と光源基板２０との間に設けられ、光源基板２０から照射される光の輝度分布を均一化するフラッタ４０と、光源基板２０とフラッタ４０との間に設けられ、フラッタ４０を支持する支持部材１００と、を備える。反射シート３０は、第１方向（例えば、Ｘ軸方向）に沿って形成された隔壁３１と第１方向に交差する第２方向（例えば、Ｙ軸方向）に沿って形成された隔壁３１とが交わる交点部分３１ａと、第１方向または第２方向に平行に形成される直線部分３１ｂと、を有する。そして、支持部材１００は、隔壁３１の直線部分３１ｂに形成される凹部３５に配置される。
【０１０３】
映像表示装置において、第１方向および第２方向は、互いに略直交する方向であってもよい。直線部分に形成される凹部は、複数の光源に対し、第１方向および第２方向の少なくとも一方向における隔壁上の位置に形成されてもよい。
【０１０４】
映像表示装置において、支持部材は、隔壁の凹部の形状に対応する形状の壁部を有してもよい。
【０１０５】
なお、壁部１１０は壁部の一例である。
【０１０６】
映像表示装置において、隔壁の表面は、前面側（表示パネル側）に向かうにしたがって隔壁の厚みが薄くなる方向に傾斜していてもよい。
【０１０７】
なお、傾斜面３１ｃは隔壁の表面の一例である。
【０１０８】
映像表示装置において、支持部材は、当該映像表示装置の前後方向に延びる軸部と、軸部の背面側の端部に形成された係合部と、軸部の、係合部から所定の間隔を開けた位置に設けられ、軸部に略直交する方向に拡がっている板部と、を有してもよい。軸部は、光源基板と反射シートとを貫通してもよい。光源基板および反射シートの、軸部により貫通されている貫通部分は、係合部と板部とで挟まれていてもよい。
【０１０９】
なお、軸部１０５は軸部の一例である。係合部１２０は係合部の一例である。板部１３０は板部の一例である。
【０１１０】
映像表示装置は、複数の貫通孔が形成され、前面側に光源基板が配置される支持基板をさらに備えてもよい。複数の貫通孔は、線対称を除く回転対称とは異なる形状を有してもよい。支持部材の軸部は、さらに、支持基板の貫通孔を貫通してもよい。支持基板の貫通孔が形成されている部分は、係合部と板部とで挟まれてもよい。軸部の、貫通孔を貫通している部分の断面は、貫通孔の形状に対応する形状を有してもよい。複数の貫通孔のうち、第１方向に平行な直線部分に対応する位置に設けられる第１貫通孔は、第２方向に平行な直線部分に対応する位置に設けられる第２貫通孔を第１方向と第２方向との間の角度だけ回転させた形状を有してもよい。
【０１１１】
なお、ベースプレートは支持基板の一例である。貫通孔１１および貫通孔１２は複数の貫通孔の一例である。図１１に示す貫通孔１１の形状は、線対称を除く回転対称とは異なる形状の一例である。貫通孔１１は第１貫通孔の一例である。貫通孔１２は第２貫通孔の一例である。９０度は第１方向と第２方向との間の角度の一例である。
【０１１２】
映像表示装置において、支持部材は、光学部材が光源に第１所定間隔より近づくことを規制する支持面を有してもよい。
【０１１３】
なお、第１所定間隔Ｄ１は第１所定間隔の一例である。支持面１４０は支持面の一例である。
【０１１４】
映像表示装置は、表示パネルと光学部材との間に配置される光学シートをさらに備えてもよい。支持部材の表示パネル側の端部は、光学シートが光源に対して第２所定間隔より近づくことを規制してもよい。
【０１１５】
なお、光学シート５０は光学シートの一例である。端部１５０は、支持部材の表示パネル側の端部の一例である。第２所定間隔Ｄ２は第２所定間隔の一例である。
【０１１６】
以上のように構成された映像表示装置１では、互いに隣り合う２つの光源２１の間が反射シート３０の隔壁３１により仕切られる。そのため、一の光源２１に対応する領域に、その領域に隣接する領域に対応する別の光源２１が発する光が進入するのを抑制できる。
【０１１７】
また、支持部材１００は、反射シート３０の隔壁３１の直線部分３１ｂに形成される凹部３５に配置される。そのため、支持部材１００は、隔壁３１のうちで光源２１に比較的近い位置でフラッタ４０を支持することができる。これにより、支持部材１００が光源２１から比較的離れた位置でフラッタ４０を支持する場合と比較して、光源２１とフラッタ４０との間の距離を第１所定間隔Ｄ１に維持することが容易にできる。これにより、映像表示装置１では、光源基板２０によるバックライトに、輝度低下や輝度むらが発生することを抑制できる。また、支持部材１００を、光源２１に相対的に近く相対的に明るい直線部分３１ｂに設けることで、光源２１から相対的に遠く相対的に暗い交点部分３１ａに支持部材１００を設ける場合と比べて、支持部材１００による輝度低下を軽減できる。
【０１１８】
また、支持部材１００は、隔壁３１の凹部３５に配置される。そのため、映像表示装置１では、領域７１内に支持部材１００の影が発生することを軽減でき、支持部材１００が領域７１内での輝度低下の原因になることを抑制できる。
【０１１９】
また、直線部分３１ｂに形成される凹部３５は、複数の光源２１に対し、第１方向（例えば、Ｘ軸方向）および第２方向（例えば、Ｙ軸方向）の少なくとも一方向における隔壁３１上の位置に形成される。すなわち、光源２１から第１方向における隔壁３１上の位置と、光源２１から第２方向における隔壁３１上の位置との少なくとも一方に凹部３５が形成される。これにより、凹部３５は、隔壁３１のうちで、光源２１から最も近い位置に配置され、支持部材１００は、反射シート３０の隔壁３１の直線部分３１ｂのうちで、光源２１から最も近い位置に配置される。これにより、支持部材１００が光源２１から相対的に離れた位置でフラッタ４０を支持する場合と比較して、光源２１とフラッタ４０との間の距離を第１所定間隔Ｄ１に維持することが効果的にできる。したがって、映像表示装置１では、光源基板２０によるバックライトに、輝度低下や輝度むらが発生することを抑制できる。
【０１２０】
また、支持部材１００は、隔壁３１の凹部３５の形状に対応する形状の壁部１１０を有する。このため、支持部材１００は、互いに隣接する領域において、各領域に配置された光源２１が発した光が、凹部３５を通って各領域に相互に進入することを抑制することができる。これにより、映像表示装置１では、光源基板２０によるバックライトに輝度低下や輝度むらが発生することを効果的に抑制できる。
【０１２１】
また、映像表示装置１では、互いに隣り合う２つの光源２１の間を仕切る中空の隔壁３１を反射シート３０に形成し、隔壁３１内にドライバ素子２２およびドライバ素子２３を格納している。そのため、ドライバ素子２２およびドライバ素子２３と反射シート３０とが干渉してバックライトに輝度むらが発生することを防止できる。このように、映像表示装置１では、隔壁３１内の空間を有効に活用して、ドライバ素子２２およびドライバ素子２３を光源基板２０に搭載することができる。また、映像表示装置１では、隔壁３１によって、互いに隣り合う光源２１によって照明される互いに隣接する領域７１間での相互の光漏れが低減される。これにより、各領域７１の光源２１による明るさの精度をより高めることができるので、より正確な輝度で表示パネル７０を照明できる。したがって、映像表示装置１では、ローカルディミングによるコントラストの向上効果を高めることができる。
【０１２２】
（他の実施の形態）
実施の形態１では、支持部材１００の壁部１１０が、隔壁３１の延伸方向（直線部分３１ｂの延伸方向）に沿って突出して形成されている構成例を説明した（図７参照）。しかし、本開示に示す支持部材の形状は、何ら図７に示した形状に限定されない。ここでは、支持部材の他の形状例を説明する。支持部材は、例えば、図１２に示すような形状であってもよい。
【０１２３】
図１２は、他の実施の形態における映像表示装置が備える支持部材２００の形状の一例を模式的に示す斜視図である。なお、ここで説明する映像表示装置は、支持部材２００の形状が、上述した支持部材１００の形状と異なる以外は、上述の映像表示装置１と実質的に同じ構成である。したがって、以下では、上述の映像表示装置１と実質的に同じ構成に関する説明は省略し、支持部材２００の形状について説明する。また、支持部材２００は、係合部２２０、板部２３０、支持面２４０、および端部２５０を有するが、これらは、上述した支持部材１００が有する係合部１２０、板部１３０、支持面１４０、および端部１５０と実質的に同じ機能を有するため、これらの部位の詳細な説明は省略する。また、支持部材２００を形成する材料も、支持部材１００を形成する材料と実質的に同じである。
【０１２４】
図１２に示すように、支持部材２００は、２つの壁部２１０を有する。２つの壁部２１０は、支持部材２００がベースプレート１０に取り付けられた状態のときに、軸部２０５の、直線部分３１ｂの延伸方向に直交する方向（図１２では、Ｙ軸方向）の両外側の部分に設けられ、当該部分から、直線部分３１ｂの延伸方向（図１２では、Ｘ軸方向）に沿って拡がる形状を有する。２つの壁部２１０の各々は、隔壁３１の表面（すなわち、傾斜面３１ｃ）の延長線上の位置に配置されている傾斜面２１０ａを有する。言い換えると、２つの壁部２１０の各傾斜面２１０ａは、隔壁３１が有する２つの傾斜面３１ｃの各々の延長線上に対応する形状を有する。
【０１２５】
このように、映像表示装置において、支持部材の壁部は、隔壁の表面の延長線上の位置に配置されている傾斜面を有してもよい。
【０１２６】
なお、支持部材２００は支持部材の一例である。壁部２１０は壁部の一例である。傾斜面３１ｃは隔壁の表面の一例である。傾斜面２１０ａは支持部材の壁部が有する傾斜面の一例である。
【０１２７】
この構成によれば、支持部材２００は、光源２１から支持部材２００に向かって発せられた光を、反射シート３０の隔壁３１と同様に、壁部２１０の傾斜面２１０ａにより表示パネル７０に向けて反射することができる。これにより、映像表示装置では、光源基板２０によるバックライトに、輝度低下や輝度むらが発生することを効果的に抑制できる。
【０１２８】
なお、軸部２０５は、図１２に示すように、板部２３０よりも前面側（表示パネル７０側、図１２ではＺ軸方向プラス側）の部分において、直線部分３１ｂの延伸方向に直交する方向（図１２では、Ｙ軸方向）に２つに分離されていてもよい。
【０１２９】
以上のように、本出願において開示する技術の例示として、実施の形態１および他の実施の形態を説明した。そのために、添付図面および詳細な説明を提供した。
【０１３０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３１】
また、上述の実施の形態は、本開示における技術を例示するためのものであるから、特許請求の範囲またはその均等の範囲において種々の変更、置き換え、付加、省略などを行うことができる。また、上記実施の形態１および他の実施の形態で説明した各構成要素を組み合わせて、新たな実施の形態とすることも可能である。
【０１３２】
なお、上述の説明における各部材の配置位置や形状等において、目的とする効果を得られる範囲での誤差やばらつきは許容される。また、上述の説明や請求の範囲における「輝度分布を均一化する」とは、厳密な意味での均一化を意味するものではなく、目的とする効果を得られる範囲での誤差やばらつきは許容される。輝度分布の均一性を向上することもその中に含まれる。
【産業上の利用可能性】
【０１３３】
本開示は、映像表示装置に適用可能である。具体的には、テレビジョン受像機、映像録画再生装置、またはコンピュータディスプレイ装置等に、本開示は適用可能である。
【符号の説明】
【０１３４】
１    映像表示装置
１ａ    筐体
１０    ベースプレート
１１，１２    貫通孔
１１ａ    第１孔部
１１ｂ    第２孔部
２０    光源基板
２１    光源
２２，２３    ドライバ素子
２４    開口
２５    ビス孔
３０    反射シート
３１    隔壁
３１ａ    交点部分
３１ｂ    直線部分
３１ｃ    傾斜面
３２，３３    開口
３５    凹部
３６    接着テープ
４０    フラッタ
４１，４１Ａ    孔
５０    光学シート
６０    モールドフレーム
７０    表示パネル
７１    領域
８０    ベゼル
９１    接続端子基板
９２    信号処理基板
９３    電源基板
１００，２００    支持部材
１０５，２０５    軸部
１１０，２１０    壁部
１２０，２２０    係合部
１３０，２３０    板部
１４０，２４０    支持面
１５０，２５０    端部
２１０ａ    傾斜面
Ｄ１    第１所定間隔
Ｄ２    第２所定間隔
ｄ１，ｄ２    幅
【図１】
2017038082.tif 000003
【図２】
2017038082.tif 000004
【図３】
2017038082.tif 000005
【図４】
2017038082.tif 000006
【図５】
2017038082.tif 000007
【図６】
2017038082.tif 000008
【図７】
2017038082.tif 000009
【図８】
2017038082.tif 000010
【図９】
2017038082.tif 000011
【図１０】
2017038082.tif 000012
【図１１】
2017038082.tif 000013
【図１２】
2017038082.tif 000014
【手続補正書】
【提出日】平成30年2月21日(2018.2.21)
【手続補正１】
【補正対象書類名】明細書
【補正対象項目名】全文
【補正方法】変更
【補正の内容】
【発明の詳細な説明】
【技術分野】
【０００１】
本開示は、バックライトを有する映像表示装置に関する。
【背景技術】
【０００２】
例えば液晶表示装置等の、バックライトを有する映像表示装置において、画質を向上させるための様々な技術が継続的に開発されている。そのような技術の一例に、例えば、ローカルディミング（Ｌｏｃａｌ  Ｄｉｍｍｉｎｇ）と呼ばれる技術がある。
【０００３】
特許文献１は、ローカルディミングに関する技術を開示する。
【先行技術文献】
【特許文献】
【０００４】
【特許文献１】特開２０１４−４１８３０号公報
【発明の概要】
【０００５】
しかしながら、特許文献１に開示された技術では、ローカルディミングによるコントラストの向上効果が十分に得られない場合がある。
【０００６】
本開示は、ローカルディミングによるコントラストの向上効果を高めることができる映像表示装置を提供する。
【０００７】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
【０００８】
本開示における映像表示装置は、ローカルディミングによるコントラストの向上効果を高めることができる。
【図面の簡単な説明】
【０００９】
【図１】図１は、実施の形態１における映像表示装置の外観の一例を模式的に示す図である。
【図２】図２は、実施の形態１における映像表示装置の構成の一例を模式的に示す分解斜視図である。
【図３】図３は、実施の形態１における映像表示装置が備える光源基板が取り付けられたベースプレートの一例を模式的に示す平面図である。
【図４】図４は、実施の形態１における映像表示装置が備える光源基板の構成の一例を模式的に示す平面図である。
【図５】図５は、実施の形態１における映像表示装置が備える反射シートの形状の一例を模式的に示す斜視図である。
【図６】図６は、実施の形態１における映像表示装置が備えるフラッタの形状の一例を模式的に示す平面図である。
【図７】図７は、実施の形態１における映像表示装置が備えるベースプレートへの支持部材の取り付け例を模式的に示す斜視図である。
【図８】図８は、実施の形態１の映像表示装置における光源基板への反射シートの取り付け例を模式的に示す斜視図である。
【図９】図９は、実施の形態１の映像表示装置における各部材の配置の一例を模式的に示す断面図である。
【図１０】図１０は、実施の形態１の映像表示装置における各部材の配置の一例を模式的に示す断面図である。
【図１１】図１１は、実施の形態１における映像表示装置が備えるベースプレートへの支持部材の取り付け例を模式的に示す平面図である。
【図１２】図１２は、他の実施の形態における映像表示装置が備える支持部材の形状の一例を模式的に示す斜視図である。
【発明を実施するための形態】
【００１０】
（本開示の基礎となった知見）
本願発明者は、従来の映像表示装置に以下の問題が生じることを見出した。
【００１１】
特許文献１にはローカルディミングに関する技術が開示されている。ローカルディミングとは、液晶表示パネルを複数の領域に分け、各領域に対応して配置された複数の光源を、液晶表示パネルの各領域に映し出される映像の明るさに応じて調光する技術である。この技術により、１画面内の映像のコントラストを向上させることができる。光源には、例えばＬＥＤ（Ｌｉｇｈｔ  Ｅｍｉｔｔｉｎｇ  Ｄｉｏｄｅ：発光ダイオード）が用いられる。
【００１２】
例えば、特許文献１に開示された技術を用いた映像表示装置では、一の光源に対応する領域に、その領域に隣接する領域に対応する光源からの光が進入し、液晶表示パネルに表示される映像のコントラストを向上する効果が十分に得られない場合がある。一例として、一の光源に対応する領域は相対的に暗く、かつ、その領域に隣接する領域は相対的に明るい映像が液晶表示パネルに表示される場合を想定する。その場合、一の光源に対応する領域（相対的に暗い領域）に、その領域に隣接する領域（相対的に明るい領域）に対応する光源からの光が漏れ込んで、一の光源に対応する領域の輝度が上昇し、当該２つの領域間のコントラストを十分に向上できない場合がある。
【００１３】
そのような問題を改善するために、複数の光源が配置される光源基板上の、当該複数の光源を除く領域に反射シートを配置し、その反射シートの形状を、光源と光源との間に隔壁が形成される形状とすることが考えられる。これにより、互いに隣接する領域間での相互の光の漏れ込みを抑制することができる。
【００１４】
また、液晶表示パネルを備えた映像表示装置では、光源基板上の光源よりも液晶表示パネルに近い位置に、光を拡散する拡散シート等の各種光学部材を配置する場合がある。そのような構成では、その光学部材を支える支持部材を光源基板上に配置することがある。しかし、支持部材の配置位置によっては、光源基板上の光源が発した光に対して、当該支持部材によって支持された光学部材が望ましくない影響を与えるおそれがある。例えば、光学部材と光源との間の距離が所定の範囲から外れた状態で、光学部材が支持部材に支持されることにより、光源基板によるバックライトに、輝度低下や輝度むらが発生するおそれがある。このように、光学部材と光源との間の距離は、光学部材による効果を適切に得られる所定の範囲に維持されることが望ましく、その距離が近すぎたり離れすぎたりすることで、バックライトに輝度低下や輝度むらが発生するおそれがある。
【００１５】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
【００１６】
この構成によれば、互いに隣り合う２つの光源の間が反射シートの隔壁により仕切られる。そのため、一の光源に対応する領域に、その領域に隣接する領域に対応する光源が発する光が進入するのを抑制できる。また、支持部材は、反射シートの隔壁の直線部分に形成される凹部に配置される。そのため、支持部材は、隔壁のうちで光源に比較的近い位置で光学部材を支持することができる。これにより、支持部材が光源から比較的離れた位置で光学部材を支持する場合と比較して、光源と光学部材との間の距離を所定の範囲内に維持することを容易にできる。これにより、光源基板によるバックライトに、輝度低下や輝度むらが発生することを抑制でき、ローカルディミングによるコントラストの向上効果を高めることができる。
【００１７】
例えば、第１方向および第２方向は、互いに略直交する方向であってもよい。直線部分に形成される凹部は、複数の光源に対し、第１方向および第２方向の少なくとも一方向における隔壁上の位置に形成されてもよい。
【００１８】
すなわち、光源から第１方向における隔壁上の位置と、光源から第２方向における隔壁上の位置との少なくとも一方に凹部が形成されてもよい。
【００１９】
この構成によれば、凹部は、隔壁のうちで、光源から最も近い位置に配置される。すなわち、支持部材は、反射シートの隔壁の直線部分のうちで、光源から最も近い位置に配置される。これにより、支持部材が光源から相対的に離れた位置で光学部材を支持する場合と比較して、光源と光学部材との間の距離を所定の範囲内に維持することが効果的にできる。したがって、光源基板によるバックライトに、輝度低下や輝度むらが発生することを抑制できる。
【００２０】
例えば、支持部材は、隔壁の凹部の形状に対応する形状の壁部を有してもよい。
【００２１】
この構成によれば、支持部材は、互いに隣接する領域において、各領域に配置された光源が発した光が、凹部を通って各領域に相互に進入することを抑制することができる。これにより、光源基板によるバックライトに、輝度低下や輝度むらが発生することを効果的に抑制できる。
【００２２】
例えば、隔壁の表面は、前面側（表示パネル側）に向かうにしたがって隔壁の厚みが薄くなる方向に傾斜していてもよい。壁部は、隔壁の表面の延長線上の位置に配置されている傾斜面を有してもよい。
【００２３】
この構成によれば、支持部材は、光源から支持部材に向かって発せられた光を、反射シートの隔壁と同様に、壁部の傾斜面により表示パネルに向けて反射することができる。これにより、光源基板によるバックライトに、輝度低下や輝度むらが発生することを効果的に抑制できる。
【００２４】
例えば、支持部材は、当該映像表示装置の前後方向に延びる軸部と、軸部の背面側の端部に形成された係合部と、軸部の、係合部から所定の間隔を開けた位置に設けられ、軸部に略直交する方向に拡がっている板部と、を有してもよい。軸部は、光源基板と反射シートとを貫通してもよい。光源基板および反射シートの、軸部により貫通されている貫通部分は、係合部と板部とで挟まれていてもよい。
【００２５】
この構成によれば、支持部材は、反射シートが光源基板から離間しないように、反射シートを光源基板に向けて効果的に押さえることができる。
【００２６】
例えば、映像表示装置は、複数の貫通孔が形成され、前面側に光源基板が配置される支持基板をさらに備えてもよい。複数の貫通孔は、線対称を除く回転対称とは異なる形状を有してもよい。支持部材の軸部は、さらに、支持基板の貫通孔を貫通してもよい。支持基板の貫通孔が形成されている部分は、係合部と板部とで挟まれてもよい。軸部の、貫通孔を貫通している部分の断面は、貫通孔の形状に対応する形状を有してもよい。複数の貫通孔のうち、第１方向に平行な直線部分に対応する位置に設けられる第１貫通孔は、第２方向に平行な直線部分に対応する位置に設けられる第２貫通孔を第１方向と第２方向との間の角度だけ回転させた形状を有してもよい。
【００２７】
この構成によれば、作業者は、支持部材を支持基板に取り付けるときに、支持部材を配置する位置が第１方向に平行な直線部分であるのか、第２方向に平行な直線部分であるのかを意識しなくても、支持部材を適切な向きで配置することができる。これにより、映像表示装置の製造時における作業者の組み立て作業の効率を向上することができる。
【００２８】
例えば、支持部材は、光学部材が光源に第１所定間隔より近づくことを規制する支持面を有してもよい。
【００２９】
この構成によれば、光学部材と光源との間の距離を第１所定間隔に維持することが容易にできる。
【００３０】
例えば、映像表示装置は、表示パネルと光学部材との間に配置される光学シートをさらに備えてもよい。支持部材の表示パネル側の端部は、光学シートが光源に対して第２所定間隔より近づくことを規制してもよい。
【００３１】
この構成によれば、光学シートと光源との間の距離を第２所定間隔に維持することが容易にできる。
【００３２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００３３】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００３４】
なお、添付図面および以下の説明は、当業者が本開示を十分に理解するために提供されるのであって、これらにより特許請求の範囲に記載の主題を限定することは意図されていない。
【００３５】
また、各図は、模式図であり、必ずしも厳密に図示されたものではない。また、各図において、実質的に同じ構成要素については同じ符号を付し、説明を省略または簡略化する場合がある。
【００３６】
（実施の形態１）
以下、図１〜図１１を参照しながら実施の形態１における映像表示装置１について説明する。なお、本実施の形態では、図面にＸ軸、Ｙ軸、Ｚ軸の３軸を示し、表示パネルの長辺に平行な方向（図１の横方向）の軸をＸ軸、表示パネルの短辺に平行な方向（図１の縦方向）の軸をＹ軸、Ｘ軸Ｙ軸の双方に直交する方向（映像表示装置１の前後方向に平行な方向）の軸をＺ軸とする。しかし、これらの軸は便宜的に示したものに過ぎず、何ら本開示を限定するものではない。
【００３７】
［１−１．構成］
実施の形態１における映像表示装置１は、表示パネルとしての液晶表示パネルと、その表示パネルを背面から照明するための光源基板と、を備える液晶表示装置である。映像表示装置１は、映像表示装置の一例である。光源基板には、各々が表示パネルの互いに異なる領域に対応して設けられた複数の光源と、複数の光源の各々を、制御信号によって表される明るさ（映像の対応領域内の明るさ）に応じた輝度で発光するように駆動（調光）するドライバ素子と、が搭載される。なお、映像の対応領域内の明るさとは、１つの光源が照明する表示パネルの領域（すなわち、その光源に対応する領域）における映像の明るさ（映像の部分的な明るさ）のことである。
【００３８】
図１は、実施の形態１における映像表示装置１の外観の一例を模式的に示す図である。
【００３９】
図１に示すように、映像表示装置１は、表示パネル７０および光源基板（図１には示さず）が、前面が開放された筐体１ａ内に格納された、一般的なフラットパネルディスプレイの外観を有する。なお、本実施の形態では、映像表示装置１および各構成部材におけるユーザに正対する面（図１に示されている側の面）を前面と称し、前面の反対側の面（裏面）を背面と称する。
【００４０】
図２は、実施の形態１における映像表示装置１の構成の一例を模式的に示す分解斜視図である。
【００４１】
図３は、実施の形態１における映像表示装置１が備える光源基板２０が取り付けられたベースプレート１０の一例を模式的に示す平面図である。なお、図３には、ベースプレート１０を前面側から見た平面図を示す。
【００４２】
図２に示すように、映像表示装置１は、ベースプレート１０、複数の光源基板２０、反射シート３０、フラッタ４０、各種の光学シート５０、モールドフレーム６０、表示パネル７０、ベゼル８０、接続端子基板９１、信号処理基板９２、および電源基板９３、を備える。これらの部材が筐体１ａ（図１参照）に格納されて、映像表示装置１は構成されている。なお、映像表示装置１は、これらの部材の他に、支持部材、締結部材、および補強部材、等を有するが、それらの部材の図示は省略している。これらは、必要に応じて後述する。
【００４３】
ベースプレート１０は、光源基板２０、接続端子基板９１、信号処理基板９２、および電源基板９３を取り付ける基台としての支持基板である。ベースプレート１０は、例えば、板金で形成されるが、他の材料で形成されてもよい。ベースプレート１０には、支持部材を取り付けるための貫通孔、ねじ穴、光源基板２０同士をベースプレート１０の背面側を通るケーブルで接続するための開口、等が設けられている。
【００４４】
光源基板２０は、表示パネル７０の背面側に設けられ、表示パネル７０の背面側を照明するバックライトモジュールである。光源基板２０は、前面側の主面に複数の光源を有し、表示パネル７０の背面側に複数の光源が発する光を照射する。また、光源基板２０は、前面側の主面に配置され、複数の光源の各々を駆動するドライバ素子を有する。複数の光源のそれぞれは、例えば、発光ダイオード（ＬＥＤ：Ｌｉｇｈｔ  Ｅｍｉｔｔｉｎｇ  Ｄｉｏｄｅ）である。すなわち、複数の光源のそれぞれは、点光源である。ベースプレート１０の前面（表示パネル７０側の面）には、図３に示すように、複数の同形の光源基板２０がマトリクス状に配置された状態で取り付けられている。これら複数の光源基板２０により、表示パネル７０を照明する直下型のバックライトが構成されている。光源基板２０の詳細は後述する。
【００４５】
反射シート３０は、光源基板２０の複数の光源が設けられている主面（表示パネル７０側の面）上に設置され、開口を有し、その開口を貫通した光源（図４に示す光源基板２０の光源２１）から出射される光の一部を前面（表示パネル７０側）に向けて反射するシートである。反射シート３０は、例えば、白色の合成樹脂で形成されるが、白色の他の材料で形成されてもよい。反射シート３０には、複数の光源のうち互いに隣り合う２つの光源の間を仕切る、前方に向かって隆起した中空の隔壁（図５参照）が形成されている。したがって、光源の周囲は隔壁によって囲まれ、各光源は、当該光源の周りの当該隔壁で囲まれた領域を照明する。反射シート３０の詳細は後述する。
【００４６】
フラッタ４０は、光源基板２０から照射される光の輝度分布を均一化（輝度分布の均一性を向上）するために、反射シート３０の前方（表示パネル７０側）に設けられたシート状の光学部材である。フラッタ４０は、光源から出射される光を一様に透過するのではなく、光源によって照明される領域毎に光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で構成されるが、他の材料で形成されてもよい。上述したように光源基板２０が備える光源はＬＥＤによる点光源のため、フラッタ４０がない場合、その光源が照明する領域内には輝度差が生じる。フラッタ４０は、その輝度差を相殺するように設定された透過率の分布を、所定の透過率の分布として有する。これにより、フラッタ４０は、光源によって照明される領域内の互いに異なる位置の輝度を、互いに等しい輝度に近づけることができ、当該領域内の輝度の均一性を向上できる。このように、フラッタ４０は、表示パネル７０と光源基板２０との間に設けられ、光源基板２０から照射される光の輝度分布を均一化（輝度分布の均一性を向上）する。フラッタ４０の詳細は後述する。
【００４７】
光学シート５０は、表示パネル７０とフラッタ４０との間に配置され、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、表面に、機能に応じた微細形状が設けられて成形された合成樹脂で構成することができる。なお、光学シート５０は、光源基板２０が備える光源から光学シート５０までの距離が所定の範囲に維持されているときに適切に効果を得られるため、光学シート５０と光源との間隔は適切な範囲に（例えば、第２所定間隔より小さくならないように）維持されることが望ましい。
【００４８】
モールドフレーム６０は、表示パネル７０の外周を背面から支持する支持部材である。モールドフレーム６０は、例えば、合成樹脂で形成されるが、他の材料で形成されてもよい。また、モールドフレーム６０は、ベースプレート１０に固定されてもよい。
【００４９】
表示パネル７０は、複数の画素がマトリクス状に配列されて構成された映像表示用の液晶パネルである。表示パネル７０は、駆動回路（図示せず）に入力される映像信号に基づいて映像を表示する。
【００５０】
ベゼル８０は、表示パネル７０の外周を前面から支持する支持部材である。ベゼル８０は、例えば、金属で形成されるが、合成樹脂で形成されてもよい。
【００５１】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０の光源の輝度を制御（調光）するための制御信号を、映像信号に基づいて生成する回路も設けられている。電源基板９３は、映像表示装置１に動作電力（以下、単に「電力」という）を供給するための電源回路が設けられた回路基板である。接続端子基板９１、信号処理基板９２、および電源基板９３は、ベースプレート１０の背面に取り付けられている。
【００５２】
次に、光源基板２０について説明する。
【００５３】
図４は、実施の形態１における映像表示装置１が備える光源基板２０の構成の一例を模式的に示す平面図である。図４の下段に示す図は、図３に示す領域Ａ１の拡大図である。図４には、光源基板２０の前面に配置された各部材の一例を示している。なお、図４の上段には、図４の下段の図において破線で囲った領域の拡大図（部分拡大図）を示す。また、図４の一部には、視覚的にわかりやすくするために、便宜的に、個々の光源２１で照明される表示パネル７０の領域７１に対応する位置を二点鎖線で示している。
【００５４】
図４に示すように、光源基板２０には、複数の光源２１と、複数のドライバ素子２２およびドライバ素子２３と、が搭載されている。
【００５５】
光源２１の各々は、表示パネル７０の互いに異なる領域７１に対応して設けられている。光源２１には高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。
【００５６】
ドライバ素子２２およびドライバ素子２３は、信号処理基板９２から供給される制御信号に基づき光源２１を駆動する半導体素子である。ドライバ素子２２およびドライバ素子２３には、各光源２１に対応する領域７１における映像の明るさを表す制御信号が、信号処理基板９２から供給される。そして、ドライバ素子２２およびドライバ素子２３は、光源２１の各々を、当該制御信号によって表される明るさに応じた輝度で発光するように駆動（調光）する。ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよい。ドライバ素子２３は、例えば、制御信号からドライバ素子２２のゲート信号を生成する半導体集積回路（ＩＣ：Ｉｎｔｅｇｒａｔｅｄ  Ｃｉｒｃｕｉｔ）であってもよい。
【００５７】
光源基板２０には、フラッタ４０を支持する支持部材が貫通する開口２４、および光源基板２０をベースプレート１０にビス止めするためのビス孔２５、が設けられている。また、光源基板２０が取り付けられているベースプレート１０には、開口２４よりも小さい形状を有し、支持部材を立てるための貫通孔１１および貫通孔１２が設けられている。
【００５８】
ベースプレート１０では、貫通孔１１、貫通孔１２およびビス孔（図示せず）を、互いに隣接する領域７１の境界線上に配置している。同様に、光源基板２０では、ドライバ素子２２、ドライバ素子２３、開口２４、およびビス孔２５を、互いに隣接する領域７１の境界線上に配置している。このような配置の効果については後述する。
【００５９】
次に、反射シート３０について説明する。
【００６０】
図５は、実施の形態１における映像表示装置１が備える反射シート３０の形状の一例を模式的に示す斜視図である。図５の一部には、視覚的にわかりやすくするために、領域７１に対応する位置を二点鎖線で示している。
【００６１】
図５に示すように、反射シート３０には、隔壁３１、開口３２、および開口３３が形成されている。
【００６２】
開口３２は、反射シート３０の背面側に配置されている光源基板２０の光源２１に対応する位置に設けられている。光源２１は、反射シート３０の背面から開口３２を貫通して反射シート３０の前面に露出する。
【００６３】
反射シート３０は、光源２１から照射される光を反射するように、白色の合成樹脂で形成されている。そして、反射シート３０は、開口３２を貫通して前面に露出した光源２１から出射される光の一部（背面方向に進行する光、等）を前方（表示パネル７０方向）へ反射する。
【００６４】
反射シート３０に形成された隔壁３１は、前面側（表示パネル７０側、Ｚ軸方向プラス側（図２、図４参照））に向かって突出して形成された中空の部位である。隔壁３１は、互いに隣り合う開口３２（すなわち、互いに隣り合う光源２１）の間を仕切る位置に形成されている。反射シート３０の隔壁３１は、第１方向に沿って形成された部分と第２方向に沿って形成された部分とが交わる交点部分３１ａと、第１方向または第２方向に平行に形成される直線部分３１ｂと、を有する。なお、第１方向は例えばＸ軸方向であり、第２方向は例えばＹ軸方向（図２、図４参照）であるが、本開示は何らその設定に限定されず、それらは互いに逆であってもよい。
【００６５】
また、隔壁３１は、直線部分３１ｂに凹部３５を有する。凹部３５は隔壁３１の一部が前面側に突出しないことで形成される。凹部３５は、開口３２（言い換えれば、光源２１）に対し、第１方向（例えば、Ｘ軸方向）および第２方向（例えば、Ｙ軸方向）の少なくとも一方向における隔壁３１上の位置に形成される。すなわち、凹部３５は、開口３２（光源２１）から第１方向における隔壁３１上の位置と、開口３２（光源２１）から第２方向における隔壁３１上の位置との少なくとも一方に形成される。
【００６６】
また、隔壁３１は、互いに隣接する領域７１の境界線上において最も前面側に向かって突出しており、前面側に向かうにしたがって厚みが薄く（直線部分３１ｂの延伸方向に直交する方向の幅が小さく）なっている。すなわち、隔壁３１は、表示パネル７０の表示面に対して、隔壁３１の厚みが薄くなる方向に傾斜した傾斜面３１ｃ（図７、図８参照）を有する。この傾斜面３１ｃは、光源２１から発せられ隔壁３１に向かって進行する光を、前面側（表示パネル７０側）へ反射する。
【００６７】
反射シート３０の、隔壁３１の凹部３５には、開口３３が形成されている。後述するように、支持部材は、開口３３を貫通する。
【００６８】
次に、フラッタ４０について説明する。
【００６９】
図６は、実施の形態１における映像表示装置１が備えるフラッタ４０の形状の一例を模式的に示す平面図である。図６の一部には、視覚的にわかりやすくするために、領域７１に対応する位置を二点鎖線で示している。
【００７０】
図６に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内に光源２１により生じる輝度分布（輝度の偏り）を相殺するように設定されている。このように、フラッタ４０は、光源２１により生じる輝度分布を相殺するように設定された所定の透過率の分布を有する。これによりフラッタ４０は、領域７１内の輝度の均一性を向上することができる。なお、フラッタ４０の透過率の分布は、フラッタ４０と光源２１との間隔が所定の距離（以下、第１所定間隔という）に維持されているときに適切に効果を得られるように設定されている。そのため、フラッタ４０による効果を適切に得るためには、フラッタ４０と光源２１との間隔は第１所定間隔に維持されることが望ましい。
【００７１】
次に、支持部材１００による反射シート３０の光源基板２０への取り付けについて説明する。
【００７２】
図７は、実施の形態１における映像表示装置１が備えるベースプレート１０への支持部材１００の取り付け例を模式的に示す斜視図である。
【００７３】
図８は、実施の形態１の映像表示装置１における光源基板２０への反射シート３０の取り付け例を模式的に示す斜視図である。
【００７４】
図９、図１０は、実施の形態１の映像表示装置１における各部材の配置の一例を模式的に示す断面図である。図９には、図８のＩＸ−ＩＸ線断面図を示し、図１０には、図８のＸ−Ｘ線断面図を示す。なお、図８ではフラッタ４０および光学シート５０の図示を省略しているが、図９、図１０にはフラッタ４０および光学シート５０を示している。
【００７５】
まず、支持部材１００の構成について説明する。
【００７６】
図７〜図１０に示すように、支持部材１００は、隔壁３１の凹部３５の形状に対応する形状の壁部１１０を有する。また、支持部材１００は、軸部１０５と、係合部１２０と、板部１３０と、をさらに有する。支持部材１００は、例えば、白色の合成樹脂で形成されるが、他の材料で形成されてもよい。
【００７７】
壁部１１０は、支持部材１００がベースプレート１０に取り付けられた状態のときに、映像表示装置１の前後方向（図７では、Ｚ軸方向）に延びる軸部１０５から、隔壁３１の直線部分３１ｂの延伸方向（図７では、Ｘ軸方向）の両側に向かって突出している部位である。壁部１１０は、凹部３５により途切れる隔壁３１を補うために、隔壁３１の凹部３５を塞ぐ形状を有する。なお、以下では、支持部材１００がベースプレート１０に取り付けられた状態にあるものとして、支持部材１００の説明行う。
【００７８】
軸部１０５は、映像表示装置１の前後方向（図７では、Ｚ軸方向）に延びる部位である。軸部１０５は、ベースプレート１０と、光源基板２０と、反射シート３０と、フラッタ４０と、を貫通する。
【００７９】
具体的には、軸部１０５は、板部１３０よりも前面側（表示パネル７０側、図７ではＺ軸方向プラス側）の部分において、直線部分３１ｂの延伸方向（図７では、Ｘ軸方向）に２つに分離されている。軸部１０５の２つに分離された部分のそれぞれは、互いに対向する側面の反対側の側面に壁部１１０を有する。なお、図９では、軸部１０５を破線で示す。
【００８０】
また、軸部１０５の背面側（図７では、Ｚ軸方向マイナス側）の端部には、係合部１２０が形成されている。軸部１０５は、板部１３０よりも背面側（図７では、Ｚ軸方向マイナス側）の部分において、直線部分３１ｂの延伸方向に直交する方向（図７では、Ｙ軸方向）に長い矩形の軸断面を有している。また、軸部１０５の板部１３０よりも背面側（図７では、Ｚ軸方向マイナス側）の部分は、支持部材１００がベースプレート１０に取り付けられた状態で、ベースプレート１０と、光源基板２０と、反射シート３０と、を貫通している。
【００８１】
係合部１２０は、軸部１０５の背面側（図７では、Ｚ軸方向マイナス側）の端部に形成されている。係合部１２０は、支持部材１００がベースプレート１０の貫通孔１１に取り付けられた状態で、当該貫通孔１１に係合する形状に形成されている。係合部１２０は、軸部１０５から、直線部分３１ｂの延伸方向（図７では、Ｘ軸方向）に沿って斜め前側（Ｚ軸方向プラス側）に突出している鉤状の部位である。係合部１２０は、鉤状の先端がベースプレート１０の貫通孔１１の背面側（図７では、Ｚ軸方向マイナス側）に引っ掛かることで、ベースプレート１０の貫通孔１１に係合する。
【００８２】
板部１３０は、軸部１０５の、係合部１２０から所定の間隔を開けた位置に設けられ、軸部１０５に略直交する方向に拡がっている。板部１３０は、ベースプレート１０の面（図７では、Ｘ−Ｙ平面）に平行な方向に拡がっているフランジ状の部位である。
【００８３】
係合部１２０および板部１３０は、支持部材１００がベースプレート１０の貫通孔１１に取り付けられた状態で、軸部１０５が貫通しているベースプレート１０、光源基板２０および反射シート３０の貫通部分を、係合部１２０と板部１３０との間に挟む。すなわち、上述の所定の間隔は、この挟み込みができる長さである。貫通部分は、具体的には、ベースプレート１０の貫通孔１１が形成されている部分と、光源基板２０の開口２４が形成されている部分と、反射シート３０の開口３３が形成されている部分と、を含む。このため、支持部材１００は、係合部１２０および板部１３０において、反射シート３０が光源基板２０から離間しないように、反射シート３０を光源基板２０に向けて効果的に押さえることができる。
【００８４】
また、反射シート３０は、光源２１を露出させる開口３２の周囲の平坦部分において、接着テープ３６で光源基板２０に貼り付けられている（図８、図１０参照）。こうして、反射シート３０は、光源基板２０に固定される。
【００８５】
光源基板２０の光源２１は、反射シート３０の背面から開口３２を貫通して反射シート３０の前面に露出する（図８、図１０参照）。光源基板２０のドライバ素子２３は、隔壁３１内の空間（隔壁３１により反射シート３０の背面と光源基板２０の前面との間に形成される空間）に格納される（図９参照）。
【００８６】
図７〜図１０には図示していないが、光源基板２０は、ビス孔２５（図４参照）を通ってベースプレート１０に取り付けられるビスによって、ベースプレート１０に固定されている。そして、そのビスの頭部およびドライバ素子２２等も、隔壁３１内に格納される。
【００８７】
また、支持部材１００は、軸部１０５の、壁部１１０よりも前面側（表示パネル７０側、図７ではＺ軸方向プラス側）の部分が、フラッタ４０の特定の孔４１Ａを貫通している（図９、図１０参照）。また、支持部材１００の、孔４１Ａを貫通した部分の下方には、フラッタ４０を支持する支持面１４０が形成されている。具体的には、支持部材１００は、フラッタ４０に形成されている特定の孔４１Ａが支持部材１００の上部の切り欠きに嵌め込まれることにより、フラッタ４０を支持する。支持面１４０は、フラッタ４０が光源２１に対して第１所定間隔Ｄ１より近づくことを規制する部位である。この支持面１４０により、支持部材１００は、フラッタ４０と光源２１との間の距離を第１所定間隔Ｄ１に維持することが容易にできる。
【００８８】
このようにして、ベースプレート１０、光源基板２０、反射シート３０、およびフラッタ４０は、支持部材１００を用いて互いに結合されて、１つの構造体が構成される。そして、図２に示すように、その構造体の前面（表示パネル７０側）に、さらに、各種の光学シート５０が配置され、光学シート５０の前面に表示パネル７０が配置されて、映像表示装置１が構成される。映像表示装置１では、光源基板２０の光源２１から出射され、フラッタ４０および複数の光学シート５０を透過して均一性が向上した光が、表示パネル７０を背面から照明する。そして、表示パネル７０を背面から照明する光は、映像に応じて領域７１毎に明るさが調整（調光）されているので、表示パネル７０にはコントラストが精度良く高められた映像が表示される。
【００８９】
なお、図１０に示すように、支持部材１００の前面側（表示パネル７０側、図７ではＺ軸方向プラス側）の端部１５０は、光学シート５０が光源２１に第２所定間隔Ｄ２より近づくことを規制する部位である。この端部１５０により、支持部材１００は、光学シート５０と光源２１との間の距離が第２所定間隔Ｄ２より小さくならないように維持することが容易にできる。
【００９０】
次に、ベースプレート１０の貫通孔１１について説明する。
【００９１】
図１１は、実施の形態１における映像表示装置１が備えるベースプレート１０への支持部材１００の取り付け例を模式的に示す平面図である。図１１には、支持部材１００をベースプレート１０に取り付けた状態における、支持部材１００の、ベースプレート１０よりも前方（表示パネル７０側）の部位を省略した図を示す。図１１では、支持部材１００のベースプレート１０の貫通孔１１を貫通している部位（軸部１０５）が断面で表されている。
【００９２】
図１１に示すように、ベースプレート１０に形成されている貫通孔１１は、短手方向（直線部分３１ｂの延伸方向に直交する方向、図１１ではＹ軸方向）における幅ｄ１が相対的に大きい略矩形状の第１孔部１１ａと、短手方向（直線部分３１ｂの延伸方向、図１１ではＸ軸方向）における幅ｄ２が第１孔部１１ａの幅ｄ１よりも小さい略矩形状の第２孔部１１ｂと、が十字形状に接合された形状を有する。なお、第１孔部１１ａの長手方向（直線部分３１ｂの延伸方向、図１１ではＸ軸方向）における幅と、第２孔部１１ｂの長手方向（直線部分３１ｂの延伸方向に直交する方向、図１１ではＹ軸方向）における幅とは、互いに略等しい。
【００９３】
第１孔部１１ａは、支持部材１００の係合部１２０が貫通する。そして、第１孔部１１ａの長手方向（Ｘ軸方向）の両端の部分に、係合部１２０が係合する。第１孔部１１ａは、係合部１２０の第１孔部１１ａに接する部分に対応した形状を有する。
【００９４】
第２孔部１１ｂは、支持部材１００の軸部１０５が貫通する。第２孔部１１ｂは、軸部１０５の、第２孔部１１ｂを貫通している部分に対応した形状を有する。
【００９５】
第１孔部１１ａの長手方向は、隔壁３１の直線部分３１ｂの延伸方向に略一致する。そして、支持部材１００は、軸部１０５の延伸方向（図７ではＺ軸方向）から見た場合、壁部１１０が突出している方向と、係合部１２０が突出している方向とが互いに一致している。したがって、支持部材１００が貫通孔１１に取り付けられた状態では、壁部１１０が突出している方向と、隔壁３１の直線部分３１ｂの延伸方向とは互いに略一致した状態となる。
【００９６】
なお、図４に示すように、ベースプレート１０における、隔壁３１の直線部分３１ｂがＹ軸方向に沿って形成される領域７１の境界線上には、第１孔部１１ａの長手方向がＹ軸方向に沿っている貫通孔１２が形成されている。したがって、ベースプレート１０に設けられた複数の貫通孔１１、貫通孔１２のうち、Ｘ軸方向に平行な直線部分３１ｂに対応する位置に設けられる貫通孔１１は、Ｙ軸方向に平行な直線部分３１ｂに対応する位置に設けられる貫通孔１２を、Ｘ軸方向とＹ軸方向との間の角度（すなわち９０度）だけ回転させた形状を有する。
【００９７】
なお、貫通孔１１は第１貫通孔の一例である。貫通孔１２は第２貫通孔の一例である。
【００９８】
このように、貫通孔１１（貫通孔１２）は、線対称を除く回転対称とは異なる形状を有しているため、また支持部材１００の軸部１０５の断面が貫通孔１１（貫通孔１２）の形状に対応した形状を有するため、支持部材１００が貫通孔１１（または貫通孔１２）を貫通したときに、支持部材１００の姿勢を所定の姿勢に定めることができる。言い換えると、支持部材１００を貫通孔１１（または貫通孔１２）に取り付けるときに、支持部材１００を所定の姿勢にしないと、支持部材１００の軸部１０５を貫通孔１１（または貫通孔１２）に挿入することができない。なお、所定の姿勢とは、壁部１１０の突出方向が、隔壁３１の直線部分３１ｂの延伸方向に一致する姿勢のことである。このため、作業者が支持部材１００をベースプレート１０に取り付けるときに、作業者は、支持部材１００を配置する位置がＸ軸方向に平行な直線部分３１ｂであるのか、Ｙ軸方向に平行な直線部分３１ｂであるのかを意識しなくても、支持部材１００を適切な姿勢で配置することができる。これにより、映像表示装置１の製造時における作業者の組み立て作業の効率を向上することができる。
【００９９】
なお、貫通孔１１および貫通孔１２は、本実施の形態では、２回対称の十字形状を有している。しかし、貫通孔１１および貫通孔１２は、線対称を除く回転対称とは異なる形状を有していれば、上記の効果を得ることができる。したがって、貫通孔１１および貫通孔１２は、十字形状に限らずに、長方形（２回対称の一例）、台形（１回対称の一例）等であってもよい。なお、線対称を除く回転対称とは、ｎを３以上としたときのｎ回対称の形状である。
【０１００】
［１−２．効果等］
以上のように、本実施の形態において、映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する光学部材と、光源基板と光学部材との間に設けられ、光学部材を支持する支持部材と、を備える。反射シートは、第１方向に沿って形成された隔壁と第１方向に交差する第２方向に沿って形成された隔壁とが交わる交点部分と、第１方向または第２方向に平行に形成される直線部分と、を有する。そして、支持部材は、当該直線部分に形成される凹部に配置される。
【０１０１】
なお、映像表示装置１は映像表示装置の一例である。表示パネル７０は表示パネルの一例である。光源２１は光源の一例である。光源基板２０は光源基板の一例である。隔壁３１は隔壁の一例である。反射シート３０は反射シートの一例である。フラッタ４０は光学部材の一例である。支持部材１００は支持部材の一例である。交点部分３１ａは交点部分の一例である。直線部分３１ｂは直線部分の一例である。凹部３５は凹部の一例である。
【０１０２】
例えば、実施の形態１に示した例では、映像表示装置１は、入力される映像信号に基づいて映像を表示する表示パネル７０と、前面側の主面に複数の光源２１を有し、表示パネル７０の背面側に向けて複数の光源２１が発する光を照射する光源基板２０と、光源基板２０の主面上に設けられ、複数の光源２１のうち互いに隣り合う２つの光源２１の間を仕切る中空の隔壁３１が形成された反射シート３０と、表示パネル７０と光源基板２０との間に設けられ、光源基板２０から照射される光の輝度分布を均一化するフラッタ４０と、光源基板２０とフラッタ４０との間に設けられ、フラッタ４０を支持する支持部材１００と、を備える。反射シート３０は、第１方向（例えば、Ｘ軸方向）に沿って形成された隔壁３１と第１方向に交差する第２方向（例えば、Ｙ軸方向）に沿って形成された隔壁３１とが交わる交点部分３１ａと、第１方向または第２方向に平行に形成される直線部分３１ｂと、を有する。そして、支持部材１００は、隔壁３１の直線部分３１ｂに形成される凹部３５に配置される。
【０１０３】
映像表示装置において、第１方向および第２方向は、互いに略直交する方向であってもよい。直線部分に形成される凹部は、複数の光源に対し、第１方向および第２方向の少なくとも一方向における隔壁上の位置に形成されてもよい。
【０１０４】
映像表示装置において、支持部材は、隔壁の凹部の形状に対応する形状の壁部を有してもよい。
【０１０５】
なお、壁部１１０は壁部の一例である。
【０１０６】
映像表示装置において、隔壁の表面は、前面側（表示パネル側）に向かうにしたがって隔壁の厚みが薄くなる方向に傾斜していてもよい。
【０１０７】
なお、傾斜面３１ｃは隔壁の表面の一例である。
【０１０８】
映像表示装置において、支持部材は、当該映像表示装置の前後方向に延びる軸部と、軸部の背面側の端部に形成された係合部と、軸部の、係合部から所定の間隔を開けた位置に設けられ、軸部に略直交する方向に拡がっている板部と、を有してもよい。軸部は、光源基板と反射シートとを貫通してもよい。光源基板および反射シートの、軸部により貫通されている貫通部分は、係合部と板部とで挟まれていてもよい。
【０１０９】
なお、軸部１０５は軸部の一例である。係合部１２０は係合部の一例である。板部１３０は板部の一例である。
【０１１０】
映像表示装置は、複数の貫通孔が形成され、前面側に光源基板が配置される支持基板をさらに備えてもよい。複数の貫通孔は、線対称を除く回転対称とは異なる形状を有してもよい。支持部材の軸部は、さらに、支持基板の貫通孔を貫通してもよい。支持基板の貫通孔が形成されている部分は、係合部と板部とで挟まれてもよい。軸部の、貫通孔を貫通している部分の断面は、貫通孔の形状に対応する形状を有してもよい。複数の貫通孔のうち、第１方向に平行な直線部分に対応する位置に設けられる第１貫通孔は、第２方向に平行な直線部分に対応する位置に設けられる第２貫通孔を第１方向と第２方向との間の角度だけ回転させた形状を有してもよい。
【０１１１】
なお、ベースプレートは支持基板の一例である。貫通孔１１および貫通孔１２は複数の貫通孔の一例である。図１１に示す貫通孔１１の形状は、線対称を除く回転対称とは異なる形状の一例である。貫通孔１１は第１貫通孔の一例である。貫通孔１２は第２貫通孔の一例である。９０度は第１方向と第２方向との間の角度の一例である。
【０１１２】
映像表示装置において、支持部材は、光学部材が光源に第１所定間隔より近づくことを規制する支持面を有してもよい。
【０１１３】
なお、第１所定間隔Ｄ１は第１所定間隔の一例である。支持面１４０は支持面の一例である。
【０１１４】
映像表示装置は、表示パネルと光学部材との間に配置される光学シートをさらに備えてもよい。支持部材の表示パネル側の端部は、光学シートが光源に対して第２所定間隔より近づくことを規制してもよい。
【０１１５】
なお、光学シート５０は光学シートの一例である。端部１５０は、支持部材の表示パネル側の端部の一例である。第２所定間隔Ｄ２は第２所定間隔の一例である。
【０１１６】
以上のように構成された映像表示装置１では、互いに隣り合う２つの光源２１の間が反射シート３０の隔壁３１により仕切られる。そのため、一の光源２１に対応する領域に、その領域に隣接する領域に対応する別の光源２１が発する光が進入するのを抑制できる。
【０１１７】
また、支持部材１００は、反射シート３０の隔壁３１の直線部分３１ｂに形成される凹部３５に配置される。そのため、支持部材１００は、隔壁３１のうちで光源２１に比較的近い位置でフラッタ４０を支持することができる。これにより、支持部材１００が光源２１から比較的離れた位置でフラッタ４０を支持する場合と比較して、光源２１とフラッタ４０との間の距離を第１所定間隔Ｄ１に維持することが容易にできる。これにより、映像表示装置１では、光源基板２０によるバックライトに、輝度低下や輝度むらが発生することを抑制できる。また、支持部材１００を、光源２１に相対的に近く相対的に明るい直線部分３１ｂに設けることで、光源２１から相対的に遠く相対的に暗い交点部分３１ａに支持部材１００を設ける場合と比べて、支持部材１００による輝度低下を軽減できる。
【０１１８】
また、支持部材１００は、隔壁３１の凹部３５に配置される。そのため、映像表示装置１では、領域７１内に支持部材１００の影が発生することを軽減でき、支持部材１００が領域７１内での輝度低下の原因になることを抑制できる。
【０１１９】
また、直線部分３１ｂに形成される凹部３５は、複数の光源２１に対し、第１方向（例えば、Ｘ軸方向）および第２方向（例えば、Ｙ軸方向）の少なくとも一方向における隔壁３１上の位置に形成される。すなわち、光源２１から第１方向における隔壁３１上の位置と、光源２１から第２方向における隔壁３１上の位置との少なくとも一方に凹部３５が形成される。これにより、凹部３５は、隔壁３１のうちで、光源２１から最も近い位置に配置され、支持部材１００は、反射シート３０の隔壁３１の直線部分３１ｂのうちで、光源２１から最も近い位置に配置される。これにより、支持部材１００が光源２１から相対的に離れた位置でフラッタ４０を支持する場合と比較して、光源２１とフラッタ４０との間の距離を第１所定間隔Ｄ１に維持することが効果的にできる。したがって、映像表示装置１では、光源基板２０によるバックライトに、輝度低下や輝度むらが発生することを抑制できる。
【０１２０】
また、支持部材１００は、隔壁３１の凹部３５の形状に対応する形状の壁部１１０を有する。このため、支持部材１００は、互いに隣接する領域において、各領域に配置された光源２１が発した光が、凹部３５を通って各領域に相互に進入することを抑制することができる。これにより、映像表示装置１では、光源基板２０によるバックライトに輝度低下や輝度むらが発生することを効果的に抑制できる。
【０１２１】
また、映像表示装置１では、互いに隣り合う２つの光源２１の間を仕切る中空の隔壁３１を反射シート３０に形成し、隔壁３１内にドライバ素子２２およびドライバ素子２３を格納している。そのため、ドライバ素子２２およびドライバ素子２３と反射シート３０とが干渉してバックライトに輝度むらが発生することを防止できる。このように、映像表示装置１では、隔壁３１内の空間を有効に活用して、ドライバ素子２２およびドライバ素子２３を光源基板２０に搭載することができる。また、映像表示装置１では、隔壁３１によって、互いに隣り合う光源２１によって照明される互いに隣接する領域７１間での相互の光漏れが低減される。これにより、各領域７１の光源２１による明るさの精度をより高めることができるので、より正確な輝度で表示パネル７０を照明できる。したがって、映像表示装置１では、ローカルディミングによるコントラストの向上効果を高めることができる。
【０１２２】
（他の実施の形態）
実施の形態１では、支持部材１００の壁部１１０が、隔壁３１の延伸方向（直線部分３１ｂの延伸方向）に沿って突出して形成されている構成例を説明した（図７参照）。しかし、本開示に示す支持部材の形状は、何ら図７に示した形状に限定されない。ここでは、支持部材の他の形状例を説明する。支持部材は、例えば、図１２に示すような形状であってもよい。
【０１２３】
図１２は、他の実施の形態における映像表示装置が備える支持部材２００の形状の一例を模式的に示す斜視図である。なお、ここで説明する映像表示装置は、支持部材２００の形状が、上述した支持部材１００の形状と異なる以外は、上述の映像表示装置１と実質的に同じ構成である。したがって、以下では、上述の映像表示装置１と実質的に同じ構成に関する説明は省略し、支持部材２００の形状について説明する。また、支持部材２００は、係合部２２０、板部２３０、支持面２４０、および端部２５０を有するが、これらは、上述した支持部材１００が有する係合部１２０、板部１３０、支持面１４０、および端部１５０と実質的に同じ機能を有するため、これらの部位の詳細な説明は省略する。また、支持部材２００を形成する材料も、支持部材１００を形成する材料と実質的に同じである。
【０１２４】
図１２に示すように、支持部材２００は、２つの壁部２１０を有する。２つの壁部２１０は、支持部材２００がベースプレート１０に取り付けられた状態のときに、軸部２０５の、直線部分３１ｂの延伸方向に直交する方向（図１２では、Ｙ軸方向）の両外側の部分に設けられ、当該部分から、直線部分３１ｂの延伸方向（図１２では、Ｘ軸方向）に沿って拡がる形状を有する。２つの壁部２１０の各々は、隔壁３１の表面（すなわち、傾斜面３１ｃ）の延長線上の位置に配置されている傾斜面２１０ａを有する。言い換えると、２つの壁部２１０の各傾斜面２１０ａは、隔壁３１が有する２つの傾斜面３１ｃの各々の延長線上に対応する形状を有する。
【０１２５】
このように、映像表示装置において、支持部材の壁部は、隔壁の表面の延長線上の位置に配置されている傾斜面を有してもよい。
【０１２６】
なお、支持部材２００は支持部材の一例である。壁部２１０は壁部の一例である。傾斜面３１ｃは隔壁の表面の一例である。傾斜面２１０ａは支持部材の壁部が有する傾斜面の一例である。
【０１２７】
この構成によれば、支持部材２００は、光源２１から支持部材２００に向かって発せられた光を、反射シート３０の隔壁３１と同様に、壁部２１０の傾斜面２１０ａにより表示パネル７０に向けて反射することができる。これにより、映像表示装置では、光源基板２０によるバックライトに、輝度低下や輝度むらが発生することを効果的に抑制できる。
【０１２８】
なお、軸部２０５は、図１２に示すように、板部２３０よりも前面側（表示パネル７０側、図１２ではＺ軸方向プラス側）の部分において、直線部分３１ｂの延伸方向に直交する方向（図１２では、Ｙ軸方向）に２つに分離されていてもよい。
【０１２９】
以上のように、本出願において開示する技術の例示として、実施の形態１および他の実施の形態を説明した。そのために、添付図面および詳細な説明を提供した。
【０１３０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３１】
また、上述の実施の形態は、本開示における技術を例示するためのものであるから、特許請求の範囲またはその均等の範囲において種々の変更、置き換え、付加、省略などを行うことができる。また、上記実施の形態１および他の実施の形態で説明した各構成要素を組み合わせて、新たな実施の形態とすることも可能である。
【０１３２】
なお、上述の説明における各部材の配置位置や形状等において、目的とする効果を得られる範囲での誤差やばらつきは許容される。また、上述の説明や請求の範囲における「輝度分布を均一化する」とは、厳密な意味での均一化を意味するものではなく、目的とする効果を得られる範囲での誤差やばらつきは許容される。輝度分布の均一性を向上することもその中に含まれる。
【産業上の利用可能性】
【０１３３】
本開示は、映像表示装置に適用可能である。具体的には、テレビジョン受像機、映像録画再生装置、またはコンピュータディスプレイ装置等に、本開示は適用可能である。
【符号の説明】
【０１３４】
１    映像表示装置
１ａ    筐体
１０    ベースプレート
１１，１２    貫通孔
１１ａ    第１孔部
１１ｂ    第２孔部
２０    光源基板
２１    光源
２２，２３    ドライバ素子
２４    開口
２５    ビス孔
３０    反射シート
３１    隔壁
３１ａ    交点部分
３１ｂ    直線部分
３１ｃ    傾斜面
３２，３３    開口
３５    凹部
３６    接着テープ
４０    フラッタ
４１，４１Ａ    孔
５０    光学シート
６０    モールドフレーム
７０    表示パネル
７１    領域
８０    ベゼル
９１    接続端子基板
９２    信号処理基板
９３    電源基板
１００，２００    支持部材
１０５，２０５    軸部
１１０，２１０    壁部
１２０，２２０    係合部
１３０，２３０    板部
１４０，２４０    支持面
１５０，２５０    端部
２１０ａ    傾斜面
Ｄ１    第１所定間隔
Ｄ２    第２所定間隔
ｄ１，ｄ２    幅
【手続補正２】
【補正対象書類名】特許請求の範囲
【補正対象項目名】全文
【補正方法】変更
【補正の内容】
【特許請求の範囲】
【請求項１】
入力される映像信号に基づいて映像を表示する表示パネルと、
前面側の主面に複数の光源を有し、前記表示パネルの背面側に向けて前記複数の光源が発する光を照射する光源基板と、
前記光源基板の前記主面上に設けられ、前記複数の光源のうち互いに隣り合う２つの光源の間を仕切る中空の隔壁が形成された反射シートと、
前記表示パネルと前記光源基板との間に設けられ、前記光源基板から照射される前記光の輝度分布を均一化する光学部材と、
前記光源基板と前記光学部材との間に設けられ、前記光学部材を支持する支持部材と、を備え、
前記反射シートは、第１方向に沿って形成された隔壁と前記第１方向に交差する第２方向に沿って形成された隔壁とが交わる交点部分と、前記第１方向または前記第２方向に平行に形成される直線部分と、を有しており、
前記支持部材は、前記直線部分に形成される凹部に配置される、
映像表示装置。
【請求項２】
前記第１方向および前記第２方向は、互いに略直交する方向であり、
前記直線部分に形成される前記凹部は、前記複数の光源に対し、前記第１方向および前記第２方向の少なくとも一方向における前記隔壁上の位置に形成される、
請求項１に記載の映像表示装置。
【請求項３】
前記支持部材は、前記隔壁の前記凹部の形状に対応する形状の壁部を有する、
請求項１に記載の映像表示装置。
【請求項４】
前記隔壁の表面は、前記前面側に向かうにしたがって前記隔壁の厚みが薄くなる方向に傾斜しており、
前記壁部は、前記隔壁の表面の延長線上の位置に配置されている傾斜面を有する、
請求項３に記載の映像表示装置。
【請求項５】
前記支持部材は、
当該映像表示装置の前後方向に延びる軸部と、
前記軸部の前記背面側の端部に形成された係合部と、
前記軸部の、前記係合部から所定の間隔を開けた位置に設けられ、前記軸部に略直交する方向に拡がっている板部と、を有し、
前記軸部は、前記光源基板と前記反射シートとを貫通し、
前記光源基板および前記反射シートの、前記軸部により貫通されている貫通部分は、前記係合部と前記板部とで挟まれている、
請求項１に記載の映像表示装置。
【請求項６】
複数の貫通孔が形成され、前記前面側に前記光源基板が配置される支持基板をさらに備え、
前記複数の貫通孔は、線対称を除く回転対称とは異なる形状を有し、
前記支持部材の前記軸部は、さらに、前記支持基板の前記貫通孔を貫通し、
前記支持基板の前記貫通孔が形成されている部分は、前記係合部と前記板部とで挟まれ、
前記軸部の、前記貫通孔を貫通している部分の断面は、前記貫通孔の形状に対応する形状を有し、
前記複数の貫通孔のうち、前記第１方向に平行な直線部分に対応する位置に設けられる第１貫通孔は、前記第２方向に平行な直線部分に対応する位置に設けられる第２貫通孔を前記第１方向と前記第２方向との間の角度だけ回転させた形状を有する、
請求項５に記載の映像表示装置。
【請求項７】
前記支持部材は、前記光学部材が前記光源に第１所定間隔より近づくことを規制する支持面を有する、
請求項１に記載の映像表示装置。
【請求項８】
前記表示パネルおよび前記光学部材の間に配置される光学シートをさらに備え、
前記支持部材の前記表示パネル側の端部は、前記光学シートが前記光源に対して第２所定間隔より近づくことを規制する、
請求項１に記載の映像表示装置。
【手続補正３】
【補正対象書類名】図面
【補正対象項目名】全図
【補正方法】変更
【補正の内容】
【図１】
2017038082.tif 000015
【図２】
2017038082.tif 000016
【図３】
2017038082.tif 000017
【図４】
2017038082.tif 000018
【図５】
2017038082.tif 000019
【図６】
2017038082.tif 000020
【図７】
2017038082.tif 000021
【図８】
2017038082.tif 000022
【図９】
2017038082.tif 000023
【図１０】
2017038082.tif 000024
【図１１】
2017038082.tif 000025
【図１２】
2017038082.tif 000026
【国際調査報告】
2017038082.tif 000027
2017038082.tif 000028
2017038082.tif 000029
2017038082.tif 000030